(57)【要約】  【課題】  印字ヘッドを介して記録用紙の両面に画像を形成する際に、精度良く裏写りの有無を判定し、両面記録の可否を効果的に判断でき、品質の良好な画像を得ることができる両面記録装置及び両面記録方法を提供する。  【解決手段】  Ｓ１９０で、印字ヘッドから記録用紙の面上に吐出されるインクの吐出数を計数し、Ｓ２００で、計数されたインクの吐出数が予め設定された所定値を越えている場合には両面記録不可と判断されてＳ３１０に進み、設定された所定値を越えていない場合には両面記録可と判断されてＳ２１０に進む。また、Ｓ３１０にいて記録用紙の種類が両面記録専用紙である場合には、Ｓ２００での判断を無効とし、Ｓ２１０に進み、両面記録が可能な手順を行う。【選択図】  図３
2008195083.tif 000002
【特許請求の範囲】
【請求項１】
記録媒体の面上にインクを吐出する印字ヘッドを備え、該印字ヘッドを記録媒体に対して相対的に移動させることによって、記録媒体の両面に画像を形成可能な両面記録装置であって、
前記印字ヘッドから前記記録媒体上の所定領域に吐出されるインクの吐出数を計数する計数手段と、
前記計数手段によって計数されたインクの吐出数を、予め設定された所定値と比較する比較手段と、
前記比較手段の比較結果に基づいて、前記記録媒体の両面記録の可否を判断する判断手段と、
を備える
ことを特徴とする両面記録装置。
【請求項２】
複数の記録媒体への記録を行う際に、前記判断手段は、記録媒体毎に前記記録媒体の両面記録の可否を判断することを特徴とする請求項１に記載の両面記録装置。
【請求項３】
前記計数手段は、前記記録媒体の両面それぞれの所定領域に吐出されるインクの吐出数を計数することを特徴とする請求項１又は請求項２に記載の両面記録装置。
【請求項４】
前記比較手段の比較結果においてインクの吐出数が前記所定値を越えている場合には、前記判断手段は、前記記録媒体への両面記録の不可を判断することを特徴とする請求項１〜請求項３の何れかに記載の両面記録装置。
【請求項５】
前記印字ヘッドは前記記録媒体の第一面に画像を形成した後にその裏面になる第二面に画像を形成することで前記記録媒体の両面に画像を形成可能であり、前記計数手段は、前記印字ヘッドが前記記録媒体の第一面に画像を形成する際に、当該印字ヘッドが前記第一面の所定領域に吐出したインクの吐出数を計数することを特徴とする請求項１〜請求項４の何れか記載の両面記録装置。
【請求項６】
前記印字ヘッドは前記記録媒体の第一面に画像を形成した後にその裏面になる第二面に画像を形成することで前記記録媒体の両面に画像を形成可能であり、前記計数手段は、前記印字ヘッドが前記記録媒体の第一面に画像を形成する前に、当該印字ヘッドが前記第一面の所定領域及び／又は前記第二面の所定領域に吐出するインクの吐出数を計数することを特徴とする請求項１〜請求項４の何れかに記載の両面記録装置。
【請求項７】
前記所定領域を予め指定するための領域指定手段を備え、前記計数手段は当該領域指定手段によって指定された所定領域に吐出されるインクの吐出数を計数することを特徴とする請求項１〜請求項６の何れかに記載の両面記録装置。
【請求項８】
前記領域指定手段により指定可能な領域の一つは、前記記録媒体の面１頁分であることを特徴とする請求項７に記載の両面記録装置。
【請求項９】
前記領域指定手段により指定可能な領域の一つは、前記印字ヘッドが前記記録媒体に対して所定方向に１回分だけ相対的に移動する領域であることを特徴とする請求項７に記載の両面記録装置。
【請求項１０】
前記領域指定手段により指定可能な領域の一つは、前記印字ヘッドが前記記録媒体に対して所定時間内に相対的に移動する領域であることを特徴とする請求項７に記載の両面記録装置。
【請求項１１】
前記領域指定手段により指定可能な領域の一つは、前記印字ヘッドが前記記録媒体に対して所定方向に所定量だけ相対的に移動する領域であることを特徴とする請求項７に記載の両面記録装置。
【請求項１２】
前記判断手段は、予め定められた、記録媒体における単位面積あたりのインクの吐出数を表す所定の記録密度を越える面積が、一定値を越えたときは前記記録媒体への両面記録の不可を判断することを特徴とする請求項１又は請求項２に記載の両面記録装置。
【請求項１３】
前記記録媒体の第二面に印字する前に該記録媒体の第二面に吐出されるインクの吐出数を計数する第二面計数手段と、
前記判断手段により前記記録媒体の両面記録可が判断されている場合でも、前第二面計数手段によって計数されたインクの吐出数に基づいて、記録媒体の両面への記録の実行をキャンセルするキャンセル手段と、
を備えることを特徴とする請求項請求項１〜１２の何れか記載の両面記録装置。
【請求項１４】
前記記録媒体の両面に一定方向から記録を行うために該記録媒体の第一面と第二面とを反転させる反転手段を備え、該記録媒体の両面記録を行わない場合には、該記録媒体の反転を行わないことを特徴とする請求項１〜１３の何れか記載の両面記録装置。
【請求項１５】
記録媒体の種類を認識する認識手段を備え、該認識手段により認識された記録媒体の種類に基づいて、前記判断手段における判断を無効にする無効手段と、
前記無効手段によって前記判断手段における判断が無効にされた際には、両面記録がユーザから指示されていれば前記記録媒体の両面に記録を行う、
ことを特徴とする請求項１〜請求項１２の何れか記載の両面記録装置。
【請求項１６】
記録媒体の種類を認識する認識手段と、該認識手段により認識された記録媒体の種類に基づいて、前記計数手段の動作を停止させる計数停止手段と、
を備え、
該計数停止手段によって該計数手段の動作が停止された際には、両面記録がユーザから指示されていれば前記制御手段が前記記録媒体の両面に記録を行うことを特徴とする請求項１〜請求項１２の何れか記載の両面記録装置。
【請求項１７】
前記無効手段によって前記判断手段における判断が無効になった場合には、前記比較手段においてインクの吐出数が前記所定値を越えたとしても、前記記録媒体への両面に記録を行うことを特徴とする請求項１５に記載の両面記録装置。
【請求項１８】
使用者によって前記記録媒体の種類を入力する記録媒体種類入力手段を備え、前記認識手段は、記録媒体種類入力手段に入力された該記録媒体の種類に基づいて、前記記録媒体の種類を認識することを特徴とする請求項１５〜１７の何れか記載の両面記録装置。
【請求項１９】
前記記録媒体の種類を示す識別情報を通信回線によって受信する受信手段を備え、前記認識手段は、前記受信手段が受信した前記識別情報に基づいて前記記録媒体の種類を認識することを特徴とする請求項１５〜請求項１７の何れかに記載の両面記録装置。
【請求項２０】
前記記録媒体の種類を検出する検出手段を備え、前記認識手段は、当該検出手段による検出結果に基づいて前記記録媒体の種類を認識することを特徴とする請求項１５〜請求項１７の何れかに記載の両面記録装置。
【請求項２１】
前記検出手段は発光素子と受光素子とからなる反射型光学センサであって、発光素子によって記録媒体に向けて照射し、記録媒体から反射した反射光を受光素子によって受光し、該受光素子の受光量に基づいて記録媒体の種類を認識することを特徴とする請求項２０に記載の両面記録装置。
【請求項２２】
前記記録媒体の種類が、インクの吸収速度が遅い種類の媒体である場合には、前記記録媒体の第一面に印字した後に第二面に記録するまでの開始時間を遅らせる印字遅延手段を備えていることを特徴とする請求項１５〜請求項２１の何れか記載の両面記録装置。
【請求項２３】
前記記録媒体の一方の面に風を送る送風手段を備え、前記制御手段が前記記録媒体の他方の面に印字を開始する前に、前記送風手段が前記記録媒体の印字を終えた一方の面に送風し、一方の面におけるインクの乾燥を促進することを特徴とする請求項１〜請求項２２の何れか記載の両面記録装置。
【請求項２４】
記録媒体の上面にインクを吐出する印字ヘッドと、該印字ヘッドを記録媒体に対して相対的に移動させ、該印字ヘッドを介して記録媒体の両面に画像を形成可能な両面記録方法であって、
前記印字ヘッドから記録媒体の所定領域に吐出されるインクの吐出数を計数し、該計数されたインクの吐出数を、予め設定された所定値と比較し、
前記比較結果に基づいて、前記記録媒体の両面記録の可否を判断する、
ことを特徴とする両面記録方法。
【請求項２５】
前記計数されたインクの吐出数が前記所定値を越えている場合には、前記記録媒体への両面記録の不可を判断することを特徴とする請求項２４に記載の両面記録方法。
【請求項２６】
前記記録媒体の両面に記録を行うために該記録媒体を反転させる両面記録方法であって、前記記録媒体の両面記録を行わない場合には、前記記録媒体の反転を行わないことを特徴とする請求項２４又は２５に記載の両面記録方法。
【発明の詳細な説明】
【技術分野】
【０００１】
本発明は、印字ヘッドを介して記録媒体の両面に画像を形成する両面記録装置及び両面記録方法に関するものである。
【背景技術】
【０００２】
従来、例えばプリンタや複写機などで、記録用紙（所謂、記録媒体である）の両面に、印字ヘッドを介してインクを吐出するインクジェット方式によってインクを定着させ画像を形成する両面記録装置が知られている。
【０００３】
このような、インクジェット方式の記録装置では、同一画素に吐出するインクの吐出数又は吐出量を変化させて画像の階調表現を行い、インクの定着は空気中への水分の蒸発と記録用紙への吸収によって行われる。しかし、大部分のインクは記録用紙に吸収されるため、記録用紙の両面に印刷を行った場合、インクの吐出量が多いと、裏面の画像が濃く透けて見えて（所謂、「裏写り」である）画像の品質を損なうことがある。また、記録用紙に吐出するインクの吐出量が多いと、記録用紙にシワが発生したりして、記録用紙が装置内の搬送路で詰まり、円滑な搬送を妨げたりすることがある。
【０００４】
そこで、使用するインクの種類（例えば、淡色か濃色かの種類）や記録モード（高解像度か低解像度かのモード）によって両面記録の可否を設定する液体噴射記録制御装置（所謂、両面記録装置である）がある。つまり、両面記録装置において、記録モードの選択が高画質であって、そこで用いるインクの種類が淡色の際には、記録用紙に吐出するインク量が多くなり裏写りがし易いので、両面記録を禁止し片面のみの記録を行うように、両面記録を片面記録に切換えるものがある。（例えば、特許文献１参照）。
【特許文献１】特開２０００−１４１６２７号公報（第３−４頁、第１−４図）
【発明の開示】
【発明が解決しようとする課題】
【０００５】
しかしながら、特許文献１の液体噴射制御装置によれば、記録モードやインクの種類によって、両面記録の可否を選択しているので、種々の画像に対して、的確に裏写りの有無を判断し、両面記録の可否を効果的に判断することが出来ないという問題があった。
【０００６】
つまり、記録モードが高解像度のカラー印刷をする際に、記録用紙に形成する画像の階調が低く、インクの吐出量が少ない場合であっても、記録モードやインクの種類によって、不要に両面記録の不可を選択してしまう虞がある。
【０００７】
また、記録モードが低解像度の印刷をする際に、記録用紙に形成する画像の階調が高く、インクの吐出量が多い場合であっても、記録モードやインクの種類によって、誤って両面記録の可を選択してしまう虞がある。
【０００８】
本発明は、こうした問題に鑑みなされたもので、記録用紙の両面に画像を形成する際に、種々の画像に対して精度良く裏写りの有無を判定し、両面記録の可否を効果的に選択でき、品質の良好な画像を得ることができる両面記録装置及び両面記録方法を提供することを目的とする。
【課題を解決するための手段及び発明の効果】
【０００９】
かかる目的を達成するためになされた請求項１に記載の発明は、記録媒体の面上にインクを吐出する印字ヘッドを備え、該印字ヘッドを記録媒体に対して相対的に移動させることによって、記録媒体の両面に画像を形成可能な両面記録装置であって、前記印字ヘッドから前記記録媒体上の所定領域に吐出されるインクの吐出数を計数する計数手段と、前記計数手段によって計数されたインクの吐出数を、予め設定された所定値と比較する比較手段と、前記比較手段の比較結果に基づいて、前記記録媒体の両面記録の可否を判断する判断手段とを備えることを特徴とする。
【００１０】
請求項１に記載の両面記録装置によれば、記録媒体上の所定領域に吐出されるインクの吐出数を計数し、インクの吐出数によって記録媒体の両面記録の可否を判断できるので、記録媒体の両面にインクを吐出して画像を形成したときに画質を損なうことがなく、記録媒体の両面に品質の良好な画像を得ることができる。また、記録媒体に画像を形成する際に、記録媒体に吐出されるインク量をインクの吐出数によって計測しているので、種々の画像に対して、精度良く裏写りの有無を判定し、両面記録の可否を効果的に判断できる。
【００１１】
次に、請求項２に記載の発明は、請求項１に記載の両面記録装置において、複数の記録媒体への記録を行う際に、前記判断手段は、記録媒体毎に前記記録媒体の両面記録の可否を判断することを特徴とする。
【００１２】
請求項２に記載の両面記録装置によれば、記録媒体毎に該記録媒体の両面記録の可否を判断しているので、複数の記録媒体の内、画像品質を損なうことがない画像が形成されるものには、両面記録を判断し、画像品質を損なう虞があるものには片面記録を判断し、複数の記録媒体に対して両面記録の可否を効果的に判断できる。
【００１３】
次に、請求項３に記載の発明は、請求項１又は請求項２に記載の両面記録装置において、前記計数手段は、前記記録媒体の両面それぞれの所定領域に吐出されるインクの吐出数を計数することを特徴とする。
【００１４】
請求項３に記載の両面記録装置によれば、記録媒体の両面それぞれの所定領域に吐出されるインクの吐出数を計数しているので、両面の何れかの面において、インクの吐出数が所定値を越えたときに、両面記録の不可を判断でき、品質の良好な画像を得ることができる。
【００１５】
次に、請求項４に記載の発明は、請求項１〜請求項３の何れかに記載の両面記録装置において、前記比較手段の比較結果においてインクの吐出数が前記所定値を越えている場合には、前記判断手段は、前記記録媒体への両面記録の不可を判断することを特徴とする。
【００１６】
請求項４に記載の両面記録装置によれば、記録媒体の表面に吐出されるインクの吐出数が多いときは、記録媒体の表面に印字したインクが記録媒体の裏面に浸透し、記録媒体の裏面に印字すると記録媒体の表面及び裏面に印刷された画像品質を損ない易いので、インクの吐出数が所定値を越えたときは、記録媒体の裏面には記録しないようにすることによって、品質の良好な画像が得られる。
【００１７】
次に、請求項５に記載の発明は、請求項１〜請求項４の何れか記載の両面記録装置において、前記印字ヘッドは前記記録媒体の第一面に画像を形成した後にその裏面になる第二面に画像を形成することで前記記録媒体の両面に画像を形成可能であり、前記計数手段は、前記印字ヘッドが前記記録媒体の第一面に画像を形成する際に、当該印字ヘッドが前記第一面の所定領域に吐出したインクの吐出数を計数することを特徴とする。
【００１８】
請求項５に記載の両面記録装置によれば、第一面の裏面になる第二面に画像を形成する前に、第一面に吐出終えたインクの吐出数を計数しているので、第二面への記録の可否を確実に判断できる。
【００１９】
次に、請求項６に記載の発明は、請求項１〜請求項５の何れか記載の両面記録装置において、前記印字ヘッドは前記記録媒体の第一面に画像を形成した後にその裏面になる第二面に画像を形成することで前記記録媒体の両面に画像を形成可能であり、前記計数手段は、前記印字ヘッドが前記記録媒体の第一面に画像を形成する前に、当該印字ヘッドが前記第一面の所定領域及び／又は前記第二面の所定領域に吐出するインクの吐出数を計数することを特徴とする。
【００２０】
請求項６に記載の両面記録装置によれば、計数手段が記録媒体の第一面に画像を記録する前に、印字ヘッドが第一面の所定領域と第二面の所定領域の少なくとも何れかに吐出するインクの吐出数を計数しているので、第一面及び第二面に画像を形成する前に両面記録の可否を判断でき、第一面に画像を形成した後に、次の面への画像形成を早く開始できる。
【００２１】
次に、請求項７に記載の発明は、請求項１〜請求項６の何れかに記載の両面記録装置において、前記所定領域を予め指定するための領域指定手段を備え、前記計数手段は当該領域指定手段によって指定された所定領域に吐出されるインクの吐出数を計数することを特徴とする。
【００２２】
請求項７に記載の両面記録装置によれば、記録媒体のインクの吐出数を計数する所定領域を予め指定し、指定された所定領域に吐出されるインクの吐出数を計数できるので、記録媒体へ印字する領域と実際に計数する領域とを一致させ、記録媒体の両面記録の可否を、効果的に判断できる。
【００２３】
次に、請求項８に記載の発明は、請求項７に記載の両面記録装置において、前記領域指定手段により指定可能な領域の一つは、前記記録媒体の面１頁分であることを特徴とする。
【００２４】
請求項８に記載の両面記録装置によれば、インクの吐出数を計数する所定領域として、記録媒体の面１頁分を指定できるので、複数毎の記録媒体に連続して記録する際に、それぞれ記録された画像品質にバラツキがなく、品質の良好な画像が得られる。
【００２５】
次に、請求項９に記載の発明は、請求項７に記載の両面記録装置において、前記領域指定手段により指定可能な領域の一つは、前記印字ヘッドが前記記録媒体に対して所定方向に１回分だけ相対的に移動する領域であることを特徴とする。
【００２６】
請求項９に記載の両面記録装置によれば、インクの吐出数を計数する領域として、印字ヘッドが記録媒体に対して所定方向に１回分だけ相対的に移動する領域を指定できるので、インクの記録媒体への局部的な浸透によって画質を損なうことがなく、品質の良好な画像が得られる。
【００２７】
次に、請求項１０に記載の発明は、請求項７に記載の両面記録装置において、前記領域指定手段により指定可能な領域の一つは、前記印字ヘッドが前記記録媒体に対して所定時間内に相対的に移動する領域であることを特徴とする。
【００２８】
請求項１０に記載の両面記録装置によれば、インクの吐出数を計数する領域として、印字ヘッドが記録媒体に対して所定時間内に相対的に移動する領域を指定できるので、所定時間当たりに吐出されるインク量が偏って多いときには、インク中の揮発成分が十分に空気中に蒸発せず、記録媒体にインクが吸収され易くなるので、インクの吐出数を計数する領域として、印字ヘッドが所定時間に移動する領域を指定し、これにより、両面記録の可否を精度良く選択でき、両面記録を行う際に、画像を損なうことがなく、品質の良好な画像が得られる。
【００２９】
次に、請求項１１に記載の発明は、請求項７に記載の両面記録装置において、前記領域指定手段により指定可能な領域の一つは、前記印字ヘッドが前記記録媒体に対して所定方向に所定量だけ相対的に移動する領域であることを特徴とする。
【００３０】
請求項１１に記載の両面記録装置によれば、インクの吐出数を計数する領域として、印字ヘッドが記録媒体の所定方向に所定量だけ相対的に移動する領域を指定できるので、所定方向の所定量の領域毎に、記録媒体へ記録する領域と実際に計数する領域とを精度良く一致させ、記録媒体の両面記録の可否を効果的に判断できる。
【００３１】
次に、請求項１２に記載の発明は、請求項１又は請求項２に記載の両面記録装置において、前記判断手段は、予め定められた、記録媒体における単位面積あたりのインクの吐出数を表す所定の記録密度を越える面積が、一定値を越えたときは前記記録媒体への両面記録の不可を判断することを特徴とする。
【００３２】
請求項１２に記載の両面記録装置によれば、記録媒体の表面に吐出されるインクの吐出数が多く、所定の記録密度を越える面積が一定値を越えると、画像品質を損なうので、所定の記録密度（所謂、単位面積当たりに吐出数に対し、実際に吐出する吐出数の割合である）を越える面積が一定値を越えたときは両面記録の不可を判断することによって、インクの局部的な浸透によって画像を損なうことがなく、品質の良好な画像が得られる。
【００３３】
次に、請求項１３に記載の発明は、請求項請求項１〜１２の何れか記載の両面記録装置において、前記記録媒体の第二面に印字する前に該記録媒体の第二面に吐出されるインクの吐出数を計数する第二面計数手段と、前記判断手段により前記記録媒体の両面記録可が判断されている場合でも、前第二面計数手段によって計数されたインクの吐出数に基づいて、記録媒体の両面への記録の実行をキャンセルするキャンセル手段とを備えることを特徴とする。
【００３４】
請求項１３に記載の両面記録装置によれば、前記記録媒体の第二面に吐出されるインクの吐出数を計数し、この吐出数に基づいて、第二面への記録の実行をキャンセルできるので、第二面に吐出したインクの吐出数が多いことによって、記録媒体の両面の画像品質を損なうことがない。
【００３５】
次に、請求項１４に記載の発明は、請求項１〜１３の何れか記載の両面記録装置において、前記記録媒体の両面に一定方向から記録を行うために該記録媒体の第一面と第二面とを反転させる反転手段を備え、該記録媒体の両面記録を行わない場合には、該記録媒体の反転を行わないことを特徴とする。
【００３６】
請求項１４に記載の両面記録装置によれば、記録媒体の両面に印字を行わない場合には、記録媒体の反転を行わないので、反転のための負荷を記録媒体や両面記録装置に加えることなく、円滑な印字動作が得られる。
【００３７】
次に、請求項１５に記載の発明は、請求項１〜請求項１２の何れか記載の両面記録装置記録媒体の種類を認識する認識手段を備え、該認識手段により認識された記録媒体の種類に基づいて、前記判断手段における判断を無効にする無効手段と、前記無効手段によって前記選択手段における判断が無効にされた際には、両面記録が指示されていれば前記記録媒体の両面に記録を行うことを特徴とする。
【００３８】
請求項１５に記載の両面記録装置によれば、例えば、インクの浸透を抑制できる両面印刷専用の記録媒体を使用すれば、インクの吐出数が多くても記録媒体の両面に良好な画像が得られるので、記録媒体の種類によって、判断手段における判断を無効にする無効手段を備えることによって、記録媒体の種類にあわせ、記録媒体の両面に品質の良好な画像を効率良く形成できる。
【００３９】
次に、請求項１６に記載の発明は、請求項１〜請求項１２の何れか記載の両面記録装置において、記録媒体の種類を認識する認識手段と、該認識手段により認識された記録媒体の種類に基づいて、前記計数手段の動作を停止させる計数停止手段とを備え、該計数停止手段によって該計数手段の動作が停止された際には、両面記録が指示されていれば前記制御手段が前記記録媒体の両面に記録を行うことを特徴とする。
【００４０】
請求項１６に記載の両面記録装置によれば、例えば、インクの浸透を抑制できる両面印刷専用の記録媒体を使用すれば、インクの吐出数が多くても記録媒体の両面に品質の良好な画像が得られるので、記録媒体の種類に基づいて、インクの吐出数に関わらず両面記録を行うことができるものとし、計数手段の動作を停止させることによって、インクの吐出数を計数するための負荷を低減させることができる。
【００４１】
次に、請求項１７に記載の発明は、請求項１５に記載の両面記録装置において、前記無効手段によって前記判断手段における判断が無効になった場合には、前記比較手段においてインクの吐出数が前記所定値を越えたとしても、前記記録媒体への両面に記録を行うことを判断できること特徴とする。
【００４２】
請求項１７に記載の両面記録装置によれば、無効手段によって判断手段における判断が無効になった場合には、前記比較手段においてインクの吐出数が所定値を越えたとしても、前記記録媒体への両面に印字を行うように判断できるので、インクの吐出数が所定値を越えた場合にも、記録媒体の種類に基づいて、両面に記録を行うことができる。
【００４３】
次に、請求項１８に記載の発明は、請求項１５〜１７の何れか記載の両面記録装置において、使用者によって前記記録媒体の種類を入力する記録媒体種類入力手段を備え、前記認識手段は、記録媒体種類入力手段に入力された該記録媒体の種類に基づいて、前記記録媒体の種類を認識することを特徴とする。
【００４４】
請求項１８に記載の両面記録装置によれば、記録媒体の種類を認識する認識手段が、使用者によって入力された該記録媒体の種類に基づいて前記記録媒体の種類を認識できるので、使用者の意図に基づいて、記録媒体に吐出するインクの吐出数の多少に関わらず、前記判断手段における判断を無効にしたり、記録媒体の両面に記録を行ったりすることができる。
【００４５】
次に、請求項１９に記載の発明は、請求項１５〜請求項１７の何れかに記載の両面記録装置において、前記記録媒体の種類を示す識別情報を通信回線によって受信する受信手段を備え、前記認識手段は、前記受信手段が受信した前記識別情報に基づいて前記記録媒体の種類を認識することを特徴とする。
【００４６】
請求項１９に記載の両面記録装置によれば、記録媒体の種類を認識する認識手段が、認識記録媒体の種類を示す識別情報を通信回線によって受信し記録媒体の種類を認識できるので、使用者が記録媒体の種類を予め知らなくても、記録媒体の種類を認識できる。
【００４７】
次に、請求項２０に記載の発明は、請求項１５〜請求項１７の何れか記載の両面記録装置において、前記記録媒体の種類を検出する検出手段を備え、前記認識手段は、当該検出手段による検出結果に基づいて前記記録媒体の種類を認識することを特徴とする。
【００４８】
請求項２０に記載の両面記録装置によれば、前記記録媒体の種類を検出する検出手段を備えているので、使用者があらかじめ記録媒体の種類の情報を把握していなくとも、記録媒体の種類を検出し、記録媒体の種類にあわせた記録ができる。
【００４９】
次に、請求項２１に記載の発明は、前記検出手段は発光素子と受光素子とからなる反射型光学センサであって、発光素子によって記録媒体に向けて照射し、記録媒体から反射した反射光を受光素子によって受光し、該受光素子の受光量に基づいて記録媒体の種類を認識することを特徴とする。
【００５０】
請求項２１に記載の両面記録装置によれば、発光素子によって記録媒体に向けて照射した照射光が記録媒体の種類によって反射量が異なるので、記録媒体から反射した反射光を受光素子によって受光し、受光素子の受光量に基づいて、記録媒体に機械的に接触することなく記録媒体の種類を検出でき、記録媒体に歪みなどの損傷が生じることがない。
【００５１】
次に、請求項２２に記載の発明は、請求項１５〜請求項２１の何れか記載の両面記録装置において、前記記録媒体の種類が、インクの吸収速度が遅い種類の媒体である場合には、前記記録媒体の第一面に印字した後に第二面に記録するまでの開始時間を遅らせる印字遅延手段を備えていることを特徴とする。
【００５２】
請求項２２に記載の両面記録装置によれば、記録媒体の種類がインクの吸収速度が遅い種類の媒体であるときに、記録媒体の表面に記録した後に裏面に記録するまでの開始時間を遅らせる印字遅延手段を備えているので、記録媒体に吐出されたインクの乾燥を促進させることができ、記録媒体の表面及び裏面に印字された画像品質を損なうことがない。
【００５３】
次に、請求項２３に記載の発明は、請求項１〜請求項２２の何れか記載の両面記録装置において、前記記録媒体の一方の面に風を送る送風手段を備え、前記記録媒体の他方の面に記録を開始する前に、前記送風手段が前記記録媒体の印字を終えた一方の面に送風し、一方の面におけるインクの乾燥を促進することを特徴とする。
【００５４】
請求項２３に記載の両面記録装置によれば、記録媒体の他方の面に記録を開始する前に、送風手段が前記記録媒体の印字を終えた一方の面に送風し表面のインクが乾燥を促進することによって、記録媒体の他方の面において記録する際に、一方の面に吐出したインクが浸透して混じり合うのを防止し、記録媒体両面に形成した画像の画質を向上できる。
【００５５】
次に、請求項２４に記載の発明は、記録媒体の上面にインクを吐出する印字ヘッドと、該印字ヘッドを記録媒体に対して相対的に移動させ、該印字ヘッドを介して記録媒体の両面に画像を形成可能な両面記録方法であって、前記印字ヘッドから記録媒体の所定領域に吐出されるインクの吐出数を計数し、該計数されたインクの吐出数を、予め設定された所定値と比較し、前記比較結果に基づいて、前記記録媒体の両面記録の可否を判断することを特徴とする。
【００５６】
請求項２４に記載の両面記録方法によれば、記録媒体の表面に吐出されるインクの吐出数を計数することで記録媒体の表面に吐出されるインク量を求め、インクの吐出数に基づいて記録媒体の裏面への印字の実行の可否を判断するので、記録媒体の裏面に印字したときに画像品質を損なうことがなく、記録媒体の両面に品質の良好な画像を得ることができる。
【００５７】
次に、請求項２５に記載の発明は、請求項２４に記載の両面記録方法において、前記計数されたインクの吐出数が前記所定値を越えている場合には、前記記録媒体への両面記録の不可を判断することを特徴とする。
【００５８】
請求項２５に記載の両面記録方法によれば、記録媒体の表面に吐出されるインクの吐出数が多いときは、記録媒体の表面に印字したインクが記録媒体の裏面に浸透し、記録媒体の裏面に印字すると記録媒体の表面及び裏面に記録された画像品質を損ない易いので、インクの吐出数が所定値を越えたときは、記録媒体の裏面には記録しないようにすることによって、画像品質を損なうことがない。
【００５９】
次に、請求項２６に記載の発明は、請求項２４又は２５に記載の両面記録方法において、前記記録媒体の両面に記録を行うために該記録媒体を反転させる両面記録方法であって、前記記録媒体の両面記録を行わない場合には、前記記録媒体の反転を行わないことを特徴とする。
【００６０】
請求項２６に記載の両面記録方法によれば、記録媒体の裏面には記録を行わない場合には、記録媒体の反転を行わないので、反転のための負荷を記録媒体や両面記録装置に加えることなく、円滑な印字動作が得られる。
【発明を実施するための最良の形態】
【００６１】
（実施の形態１）
次に、本発明の両面記録装置の一実施形態としてインクジェットプリンタの構成を説明する。
【００６２】
図１はインクジェットプリンタ１の内部構成を模式的に表す断面図、図２は同インクジェットプリンタ１の構成を表すブロック図である。
【００６３】
図１において、インクジェットプリンタ１には、そのインクジェットプリンタの筐体３１内に、搬送モータ（図示せず）により駆動され、記録媒体として備えられた記録用紙２をインクジェットプリンタ１の筐体３１内部に給紙する給紙ローラ４が備えられている。
【００６４】
記録用紙２に画像を形成する際には、先ず、給紙トレイ３に積載された記録用紙２が、給紙ローラ４によって、その最上側から１枚ずつインクジェットプリンタ１の筐体３１内に給紙され、上ガイド５および下ガイド６間を通過し、搬送路（図中の一点鎖線である）に送られる。次いで、記録用紙２は、搬送ローラ７により搬送路に沿って記録位置Ｐに搬送される。
【００６５】
記録位置Ｐでは、搬送ローラ７によって搬送された記録用紙２上に画像を形成するために、インクを吐出する印字ヘッド８がキャリッジ９に支持されており、印字ヘッド８と対向する位置には記録シート２を裏面側から支持するプラテン１２が備えられている。
【００６６】
キャリッジ９は、ガイド軸１０およびガイドレール１１に沿って案内され、キャリッジモータ（図示せず）の駆動力によって記録用紙２と平行であって図面中の記録用紙２の搬送方向Ａ（以下、副走査方向という）と直交する方向（図１の紙面に対して垂直方向。以下、主走査方向という。）に往復移動する。そして、印字ヘッド８は、キャリッジ９を介して主走査方向に走査される。
【００６７】
また、印字ヘッド８の主走査方向の移動量を検出するためのリニアエンコーダ１５が、主走査方向に沿ってキャリッジ９と対向するように、備えられている。
【００６８】
また、印字ヘッド８は、４色のカラーインク（イエロー、シアン、マゼンタ、ブラック）毎に設けられたインクタンク（図示せず）と、ヘッド制御部（図示せず）からの駆動信号に基づいて各インクタンクのインクを記録用紙２に向けて吐出する複数の微細なノズル（図示せず）とを備えている。
【００６９】
次いで、記録位置Ｐにおいて、記録用紙２を副走査方向に所定ピッチで搬送するとともに、印字ヘッド８を主走査方向に移動させつつ、印字ヘッド８を介して記録用紙２の上面（所謂、第一面である）に向けてインクを吐出し、所定の画像を形成する。つまり、記録用紙２に連続した画像を形成する際には、搬送ローラ７の回転による記録用紙２の副走査方向の搬送動作と、印字ヘッド８による画像形成動作（主走査方向の移動及びインクの吐出動作）とを、交互に繰り返す。
【００７０】
次いで、記録用紙２は、上面に画像が形成された後に、搬送ローラ１３により、搬送路切換え部Ｓに導かれる。
【００７１】
搬送路切換部Ｓには、搬送路切換アクチュエータ８３（図２参照）によって実線又は破線の位置に移動可能なフラッパー２５が備えられ、フラッパー２５の移動によって記録用紙２の搬送方向が矢印Ｂ方向又はＥ方向に切換えられる。
【００７２】
次いで、両面記録が選択されている場合には、フラッパー２５は実線の位置に配置され、記録用紙２は搬送ローラ１３によって、搬送路Ｇに沿って矢印Ｂ方向に搬送され、搬送路切換部Ｒ及び搬送ローラ１４を通過し、インクジェットプリンタの筐体３１の下部に設けられた再給紙部３０に搬送される。搬送路切換部Ｒには、搬送路切換部Ｓと同様に、搬送路切換アクチュエータ８３によって実線又は破線の位置に移動可能なフラッパー２６が備えられ、フラッパー２６の先端が破線の位置に移動することによって記録用紙２の搬送方向が切換えられる。記録用紙２が再給紙部３０に向かって搬送されるときにはフラッパー２６は実線の位置に配置される。
【００７３】
次いで、搬送ローラ１４の回転方向が逆転され、記録用紙２は、図中Ｄ方向に逆送され、搬送路切換え部Ｒに向かって搬送される。このときには、フラッパー２６は破線の位置に配置されているので、記録用紙２は、Ｓ字状をなす搬送路Ｈを経て反転され、搬送ローラ７により再び記録位置Ｐに導かれ、上面（所謂、第二面である）に対し、印字ヘッド８を介してインクを吐出することで、所定の画像を記録用紙２の両面に形成する。そして、本発明における反転手段は、搬送路切換アクチュエータ８３、搬送路Ｇ、Ｈ、フラッパー２５、２６、更には搬送ローラ１４や再給紙部３０によって、その機能が発現される。
【００７４】
次いで、両面（第一面と第二面）に画像が形成された記録用紙２は、排出ローラ１３により、再び搬送路切換部Ｓに導かれ、フラッパー２５が破線に示す位置に配置されることにより搬送路Ｆに沿って上方に搬送され、排出トレイ２０上に順次積載される。但し、この場合には、印字ヘッド８が最後に印字した記録用紙２の第二面が下を向いた状態、即ちフェイスダウンの状態で排出トレイ２０上に記録用紙２が排出されるので、複数枚の記録用紙２の両面にわたって連続する文章や画像を形成する場合には、第一面に第２頁を記録すればよい。あるいは、第二面を記録した後、再び記録用紙２を搬送路Ｇ、Ｈを通過させることで再度反転してから排出トレイ２０上に排出すればよい。
【００７５】
尚、本実施例のインクジェットプリンタ１には、印字ヘッド８と給紙ローラ４との中間部に、２つの発光素子と受光素子とからなる反射型光学センサ２１ａ、２１ｂが備えられている。これらの反射型光学センサ２１ａ、２１ｂは記録用紙２の種類を判別するために使用されるもので、反射型光学センサ２１ａは搬送路の上方に配置され、反射型光学センサ２１ｂは搬送路を挟んで反射型光学センサ２１ａと対向する位置に配置されている。これらの反射型光学センサ２１ａ、２１ｂは、記録用紙２の表面に向かって光を出射する発光素子と、記録用紙２の表面からの反射光を受光する受光素子とから構成されている。制御装置６１は、給紙ローラ４から記録用紙２が搬送されるとき、２つの反射型光学センサ２１ａ、２１ｂの受光素子が受光する反射光量に基づいてその記録用紙２の種類を判断するのである。例えば、両面の反射光量が共に所定値よりも多い場合には、記録用紙２は、その両面が光沢面やインク専用面等の両面記録専用紙であると判断され、少なくとも反射型光学センサ２１ｂの受光素子が受光した反射光量が所定値よりも低い場合には、記録用紙２は、両面記録専用紙ではないと判断されるのである。但し、ユーザが記録用紙２の種類を事前に操作パネル８４から入力することにより、又はＰＣ（パソコン）からインターフェース８６を介して記録用紙２の個別情報を受信することにより、制御装置６１が事前に記録用紙２の種類を取得している場合には、制御装置６１は記録用紙２の種類の自動判別を行う必要はない。
【００７６】
また、印字ヘッド８の後方（図中のＡ方向）には、送風機１９が備えられ、必要に応じて、インクが吐出された記録用紙２に向けて送風し、インクの乾燥を促進できるように構成されている。
【００７７】
また、インクジェットプリンタ１の筐体３１内には、記録用紙２を搬送路（図中の破線）に沿って案内するための複数のガイド２２が形成されている。
【００７８】
次に、図２を用いて、本発明にかかるインクジェットプリンタ１の制御系の構成を説明する。図２はインクジェットプリンタ１における、記録用紙２に対して画像を形成する制御装置６１のブロック図である。
【００７９】
この制御装置６１は、使用者が操作パネル８４を操作し、パネルインターフェース８５から入出力されるデータに基づき、記録用紙２の搬送を制御したり、記録用紙２への画像の印字条件を制御したりするものであり、ＣＰＵ６２、ＲＯＭ６３、ＲＡＭ６４を中心とするマイクロコンピュータとして構成され、ＡＳＩＣ６５（Ａｐｐｌｉｃａｔｉｏｎ  Ｓｐｅｃｉｆｉｃ  Ｉｎｔｅｇｒａｔｅｄ  Ｃｉｒｃｕｉｔ）に接続されている。また、この制御装置６１は上記の動作以外にもこのインクジェットプリンタ１全体の動作を制御することは言うまでもない。
【００８０】
図２において、制御装置６１は、画像情報の処理やインクジェットプリンタ１の各部を制御したりするＣＰＵ６２と、ＣＰＵ６２による制御に必要なプログラムやパラメータなどを記憶しておくためのＲＯＭ６３および画像情報や種々のデータを記憶するＲＡＭ６４と、ＡＳＩＣ６５とが、バス６６を介して接続されて構成されている。
【００８１】
ＡＳＩＣ６５には、画像情報に応じて発生させた駆動信号に応じて印字ヘッド８の圧電変換素子４２ａを駆動するためのヘッド制御部６７、キャリッジモータ８０および搬送モータ８１などの各種モータを駆動するためのモータ制御部６８、記録用紙２の種類を検知するための反射光学センサ２１ａ、２１ｂ、外部のパソコン等と画像情報の入出力を行うためのインターフェース（Ｉ／Ｆ）８６、印字ヘッド８の主走査方向の移動に従いパルス信号を出力するリニアエンコーダ１５、記録用紙２の画像形成面に送風する送風機１９の駆動動作を制御する送風制御部６９、搬送路切換アクチュエータ８３を駆動するためのアクチュエータ制御部７０などが接続されている。
【００８２】
また、本発明における記録媒体の種類を検出する検出手段は、反射型光学センサ２１ａ、２１ｂによって、その機能が発現される。
【００８３】
また、本発明における送風手段は、送風機１９と送風制御部６９によって、その機能が発現される。図１においては、送風機１９は固定配置されているが、図示しない首振り機構を設けて、印字ヘッド８により画像の形成された記録用紙２の面を広範囲にわたって乾かすようにしてもよい。首振りの方向は記録用紙２の搬送方向に対して直交する方向でも平行な方向でもよい。送風機１９が記録用紙２と略同一の幅を備えている場合には、記録用紙２の搬送方向と平行な方向にのみ首振りを行えばよい。
【００８４】
また、ＡＳＩＣ６５は、周知のゲートアレイとして構成され、その内部には、画像情報に基づいて、印字ヘッド８の各ノズルからインクを吐出させる圧電変換素子４２ａを駆動するための駆動信号を発生する駆動信号発生回路と、この駆動信号に基づいて印字ヘッド８から噴射吐出されるインク滴の吐出数を計数するドロップカウンタ６５ａとが設けられている。このドロップカウンタ６５ａは、リニアエンコーダ１５からのパルス信号に基づいて所定のタイミングでその機能をＯＮ／ＯＦＦするための制御信号を受け付けるように構成されている。更に、ＡＳＩＣ６５には、図示しない外部のＰＣ（パソコン）や画像読取装置からインターフェース８６を介して送信されてくるプリンドデータを解析して、インクを記録用紙２上に吐出する前にインクの吐出数を計数するカウンタ６５ｂも設けられている。更に、印字ヘッド８の所定のノズルに対応した駆動信号のみを選択的に計数するための計数ＯＮ／ＯＦＦスイッチも内蔵しており、外部から（ＣＰＵ６２によって）設定できる。
【００８５】
また、ＡＳＩＣ６５には、ＣＰＵ６２からの指示に応じて、ＲＡＭ６４内の所定領域に記録用紙２の一方の面に記録されるべき画像情報、即ち１頁分に対して記憶された画像情報を、先頭から読み出したり、その反対に最後から読み出したりして、画像情報を走査方向に応じた適切な並びに変換する画像情報変換回路が設けられている。この画像情報変換回路は、更に詳しく説明すれば、ＣＰＵ６２が、走査に応じて、ＲＡＭ６４内に走査毎に対応するように記憶した画像情報の格納位置（アドレス）とその量（通常は一定量）と読み出し方向を指定する情報をＡＳＩＣ６５に対して入力すると、ＡＳＩＣ６５が内蔵しているＤＭＡ（ダイレクトメモリアクセス）機能によってＲＡＭ６４の所定領域からＣＰＵ６２の指示に応じて画像情報を読み出し、変換してから印字ヘッド８の駆動信号発生回路に出力する。そして、ＡＳＩＣ６５は、操作パネル８４及びパネルインターフェース８５を介して入力された操作情報、画像情報、リニアエンコーダ１５から入力されたパルス信号等に基づき、ＣＰＵ６２が実行する処理に従い、ヘッド制御部６７、モータ制御部６８、反射型光学センサ２１ａ、２１ｂ、送風機制御部６９、アクチュエータ制御部７０、ヒータ制御部６９などを制御する。
【００８６】
ここで、画像情報とは、ドットのＯＮ／ＯＦＦ情報としてのビットマップデータを示すものであり、インターフェース８６を介して外部のパソコン等より直接この形態の印字データが送信される場合もあるが、ページ記述言語等で記述された印刷データを受信してその印刷データを解析して、ＣＰＵ６２がドットのＯＮ／ＯＦＦ情報として作成するものもある。何れの場合も、画像情報は、ＣＰＵ６２によって、色毎にヘッドの走査に対応した形態でＲＡＭ６４内の所定領域に記憶され、選択的に読み出すことが可能となっている。
【００８７】
また、操作パネル８４は、インクの吐出数を計数する領域を指定するための操作キーを備えている。即ち、操作パネル８４によって、印字ヘッド８から吐出されるインクの吐出数を計数する領域を、頁毎に指定したり、印字ヘッド８の主走査方向の１動作毎に指定したり、印字動作中の印字時間で指定したり、印字ヘッド８の移動量で指定したりすることで切換えられる。そして、本発明における領域指定手段は、操作パネル８４によって、その機能が発現される。
【００８８】
また、操作パネル８４には、例えば、両面記録専用紙、普通記録用紙などの記録用紙２の種類を入力する操作キーが備えられている。そして、本発明における記録媒体種類入力手段は、操作パネル８４によって、その機能が発現される。
【００８９】
また、操作パネル８４には、記録用紙２が、インクの吸収速度が遅い種類の記録用紙２の場合には、記録用紙２の第一面に印字した後に第二面に記録するまでの開始時間を遅らせることができるように、その開始時間の操作キーが備えられている。そして、本発明における印字遅延手段は、操作パネル８４によって、その機能が発現される。
【００９０】
また、上述した通り、外部のパソコン等によりパネルインターフェース８６を介して記録用紙２の種類を示す識別情報を受信することもできる。そして、本発明における受信手段は、インターフェース８６によって、その機能が発現される。
【００９１】
また、操作パネルに８４によって入力された記録用紙２の種類を示す信号や、反射型光学センサ２１ａ、２１ｂによって検出された記録用紙２の種類を示す信号は、ＡＳＩＣ６５を介してＣＰＵ６２に送られ、これら信号に基づいてＣＰＵ６２が記録動作を制御する。
【００９２】
そして、本発明における記録用紙２の種類を認識する認識手段は、ＣＰＵ６２、ＲＯＭ６３、ＲＡＭ６４を中心とする制御装置６１によって、その機能が発現される。
【００９３】
また、ＲＯＭ６３には、ＣＰＵ６２が記録用紙２への記録動作を制御するプログラムとともに、記録用紙２への両面記録の可否を判断するプログラムが備えられている。
【００９４】
次に、インクジェットプリンタ１の記録動作の処理手順を図３に従って説明する。尚、フローチャート中の「Ｓ」はステップを表す。また、次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙２の種類を操作パネル８４を操作して事前に設定しているものとする。また、図３の処理手順は、印字前に２頁分の印字データに関し、各頁毎にインクの吐出数をカウントし、両面記録の可否を判断して印字を行うものである。
【００９５】
この記録用紙２への記録動作の処理手順は、ユーザが、インクジェットプリンタ１に記録用紙２への記録を指示したときに図３のフローチャートに示す制御手順がスタートする。
【００９６】
まず、Ｓ１１０において、ＲＡＭ６４内に記憶された情報を読み取って、ユーザにより予め設定された記録モードが両面記録モードであるか否かを判断する。
【００９７】
次いで、Ｓ１１０で両面記録モードでない（ＮＯ）場合には、記録用紙２の第二面（裏面）への印字が不要なのでＳ１２０に進み、ＲＡＭ６４から画像情報を読み出し、ＲＡＭ６４内に１頁分の画像情報、即ち、記録用紙の第一面に印字する印字データが蓄積されたか否かを判断する。Ｓ１２０において１頁分の印字データが蓄積されている（Ｙｅｓ）場合には、Ｓ１３０に進み、一方、Ｓ１２０において１頁分の印字データが蓄積されていない（Ｎｏ）場合には、１頁分の印字データがインターフェース（Ｉ／Ｆ）８６を経て外部のパソコン（図示せず）や画像読取装置（図示せず）からＲＡＭ６４に蓄積されるまで待機し、ＲＡＭ６４に蓄積された後にＳ１３０に進む。次いで、給紙ローラ４を駆動することで給紙トレイ３に積載された記録用紙２を、インクジェットプリンタ１の筐体３１内に１枚給紙する。次いで、Ｓ１４０において、ヘッド制御部６７とモータ制御部６８を制御し、記録用紙２を副走査方向に所定ピッチで搬送するとともに、印字ヘッド８を主走査方向に移動させつつ、印字ヘッド８を介して記録用紙２の上面に向けてインクを吐出し、１頁分の印字を行う。次いで、Ｓ１５０において、記録用紙２を、搬送路Ｆを経て排出トレイ２０へ排出する。次いで、１６０において、ＲＡＭ６４の画像情報に基づき全頁の印字を終えたか否かを判断する。Ｓ１６０において全頁の印字を終えている（Ｙｅｓ）場合には、ＣＰＵ６２による記録動作の制御手順が終了する。Ｓ１６０で全頁の画像形成を終えていない（Ｎｏ）場合には、再びＳ１２０に戻り、Ｓ１２０〜Ｓ１６０を繰り返し、Ｓ１６０でＹｅｓになったときに、ＣＰＵ６２による記録動作の制御手順が終了する。
【００９８】
次に、前述のＳ１１０において、両面記録モードである（Ｙｅｓ）場合には、Ｓ１７０に進み、ＡＳＩＣ６５内のカウンタ６５ｂをリセットする。つまり、カウンタ６５ｂが記憶しているインクの吐出数（以前に計数されたインクの吐出数）を初期化する。
【００９９】
次いで、Ｓ１８０において、１頁目で印字データが終了する際には１頁分の印字データがＲＡＭ６４内に蓄積されているか否か、又は、２頁分の印字データが蓄積されているか否かを判断する。Ｓ１８０においてＲＡＭ６４内に１頁目で印字データが終了する際の１頁分の印字データ、又は２頁分の印字データが蓄積されていない（Ｎｏ）の場合には、印字データがインターフェース（Ｉ／Ｆ）８６を経て外部のパソコン（図示せず）や画像読取装置（図示せず）からＲＡＭ６４に蓄積されるまで待機し、ＲＡＭ６４に蓄積された場合にはＳ１９０に進む。
【０１００】
次いで、Ｓ１９０において、各頁毎に記録用紙２の面上に印字するために必要なインクの吐出数を、ＲＡＭ６４内の所定領域に記憶された印字データ（ドットのＯＮ／ＯＦＦ情報）を読み出して計数する。本発明における計数手段は、Ｓ１９０によって、その機能が発現される。
【０１０１】
次いで、Ｓ２００において、Ｓ１９０で計数された各頁毎のインクの吐出数が予め定められた所定値に対して越えているか否かを比較する。１頁目で印字データが終了する際にはその１頁分のインクの吐出数が所定値と比較されることは言うまでもない。本発明における比較手段は、Ｓ２００によって、その機能が発現される。
【０１０２】
次いで、各頁毎又は１頁分のインクの吐出数が所定値を越えていない（Ｎｏ）場合には、Ｓ２１０に進み、１頁でもインクの吐出数が所定値を越えたときにはＳ３１０（Ｙｅｓ）へ進む。つまり、記録用紙２の第二面（裏面）に画像を形成するにあたり、Ｓ２００において比較した吐出数が、予め両面記録の可否を判定するために定められた所定値を越えていない場合には両面への記録が可能と選択されＳ２１０に進み、一方、吐出数が所定値を越えている場合には両面への記録が不可と選択されＳ３１０に進むことになる。本発明における選択手段は、Ｓ２００によって、その機能が発現される。尚、この際、２頁分の印字データがあって、２頁それぞれのインクの吐出数が所定値以下のときにはＳ２１０（Ｎｏ）へ進み、２頁それぞれのインクの吐出数のうちいずれか一方のインクの吐出数でも所定値を越えたときにはＳ３１０（Ｙｅｓ）へ進む。尚、１頁分で印字データが終了する際には、この１頁のインクの吐出数が所定値を越えたときはＳ３１０（Ｙｅｓ）へ進み、越えていないときはＳ２１０（Ｎｏ）へ進む。しかしながら、１頁分で印字データが終了する際には裏面に印字は行われないので、Ｓ１８０で１頁分で印字データが終了すると判断されたなら、即Ｓ１３０又はＳ２２０へ進むようにフローチャートを構成してもよい。
【０１０３】
次いで、Ｓ２１０において、ＲＡＭ６４から画像情報を読み出し、２頁分の画像情報、即ち、印字データが有るか又は１頁分で印字データが終了するかを判断する。Ｓ２１０において１頁分で印字データが終了する（Ｎｏ）と判断された場合には、Ｓ２２０に進み、給紙トレイ３に積載された記録用紙２を、インクジェットプリンタの筐体３１内に１枚給紙する。次いで、Ｓ２３０において、ヘッド制御部６７とモータ制御部６８を制御し、記録用紙２を副走査方向に所定ピッチで搬送するとともに、印字ヘッド８を主走査方向に移動させつつ、印字ヘッド８を介して記録用紙２の面上に向けてインクを吐出し、記録用紙の第一面に１頁分の印字を行う。次いで、Ｓ２４０で、記録用紙２を、搬送路Ｆを経て排出トレイ２０へ排出し、その後、ＣＰＵ６２による記録動作の制御手順が終了する。Ｓ２１０〜Ｓ２４０では、２頁分のデータが無く１頁分の印字データが最終頁であるので、記録用紙２を排出後に終了する。
【０１０４】
一方、Ｓ２１０において２頁分の印字データが有る（Ｙｅｓ）と判断された場合には、Ｓ２５０に進み、給紙トレイ３に積載された記録用紙２を、インクジェットプリンタの筐体３１内に１枚給紙する。次いで、Ｓ２６０において、ヘッド制御部６７とモータ制御部６８を制御し、記録用紙２を副走査方向に所定ピッチで搬送するとともに、印字ヘッド８を主走査方向に移動させつつ、印字ヘッド８を介して記録用紙２の面上に向けてインクを吐出し、記録用紙２の面上に奇数頁である（所謂、第一面である）１頁分の印字を行う。次いで、Ｓ２７０において、記録用紙２を、インクジェットプリンタの筐体３１内の搬送路Ｇ、Ｈを経て反転させ、再度記録位置Ｐに搬送する。次いで、Ｓ２８０において、印字ヘッド８を介して記録用紙２の面上に向けてインクを吐出し、偶数頁である（所謂、第二面である）１頁分の印字を行う。次いで、Ｓ２９０において、記録用紙２を、インクジェットプリンタの筐体３１内の搬送路Ｇ、Ｈを経て反転させ、続いて、Ｓ３００において、インクジェットプリンタの筐体３１内の搬送路Ｆを経て排出トレイ２０に奇数頁が下面を向くように排出する。次いで、Ｓ３９０において、全頁の印字を終えているか否かを判断する。Ｓ３９０において全頁の印字を終えている（Ｙｅｓ）場合には、ＣＰＵ６２による記録動作の制御手順が終了する。Ｓ３９０において全頁の印字を終えていないＮｏの場合にはＳ１７０に戻る。
【０１０５】
一方、ステップ２００において、１頁でも１インクの吐出数が所定値を越えている（Ｙｅｓ）場合には、Ｓ３１０に進む。
【０１０６】
次いで、Ｓ３１０において、記録用紙２が両面記録専用紙であるか否かを判断する。上述した通り、ユーザが記録用紙２の種類を事前に設定したり、インターフェース８６を介してＰＣ等から記録用紙２の種類に関する情報を得ているので、その旨を記憶しているＲＡＭ６４を参照することで記録用紙２の種類を判断できるのである。Ｓ３１０において記録用紙２が両面記録専用紙であるＹｅｓの場合には、Ｓ２１０に進み、前述のＳ２１０〜Ｓ３００の手順を行う。つまり、Ｓ３１０において、記録用紙２が両面記録専用紙であると判断されると、Ｓ２００において両面への印字が不可と選択された結果が無効にされ、記録用紙２の両面に印字を行う手順が行われる。本発明における無効手段は、Ｓ３１０によって、その機能が発現される。
【０１０７】
Ｓ３１０において、記録用紙２が両面記録専用紙でない（Ｎｏ）場合には、Ｓ３２０に進む。次いで、Ｓ３２０において、２頁分の印字データが有るか否かを判断する。Ｓ３２０において、２頁分の印字データが無い（Ｎｏ）場合、即ち１頁目で印字データが終了する場合には、前述のＳ２２０に進みＳ２２０〜Ｓ２４０の手順を行った後に、ＣＰＵ６２による記録動作の制御手順が終了する。
【０１０８】
一方、Ｓ３２０で２頁分の印字データが有る（Ｙｅｓ）場合には、Ｓ３３０に進み、給紙トレイ３に積載された記録用紙２を、インクジェットプリンタ１の筐体３１内に１枚給紙する。次いで、３４０において、ヘッド制御部６７とモータ制御部６８を制御し、記録用紙２を副走査方向に所定ピッチで搬送するとともに、印字ヘッド８を主走査方向に移動させつつ、印字ヘッド８を介して記録用紙２の面上に向けてインクを吐出し、記録用紙２の面上に奇数頁である１頁分の印字を行う。次いで、Ｓ３５０において、記録用紙２を、インクジェットプリンタの筐体３１内の搬送路Ｆを経て排出トレイ２０へ排出する。次いで、Ｓ３６０において、給紙トレイ３に積載された記録用紙２を、インクジェットプリンタの筐体３１内に１枚給紙する。次いで、Ｓ３７０において、Ｓ３４０と同様の動作で記録用紙２の面上に偶数頁である１頁分の印字を行う。次いで、Ｓ３８０において、記録用紙２を、インクジェットプリンタの筐体３１内の搬送路Ｆを経て排出トレイ２０に排出する。
【０１０９】
次いで、Ｓ３９０において、全頁の印字を終えているか否かを判断する。Ｓ３９０において全頁の印字を終えている（Ｙｅｓ）場合には、ＣＰＵ６２による記録動作の制御手順が終了する。一方、Ｓ３９０において全頁の印字を終えていない（Ｎｏ）場合にはＳ１７０に戻る。
【０１１０】
本発明の実施形態１によれば、図３に表したように、Ｓ１９０のステップにおいて、記録用紙２の各頁毎に吐出されるインクの吐出数を、印字ヘッド８が記録用紙２にインクを吐出する前に予め計数し、Ｓ２００において、計数された吐出数と予め定められた所定値とを比較し、両面記録の可否を判断するので、記録用紙２の両面にインクを吐出して画像を形成したときに画像を損なうことがなく、品質の良好な画像を得ることができる。また、種々の画像に対して、的確に裏写りの有無を判定し、両面記録の可否を効果的に判断できる。
【０１１１】
また、Ｓ３１０において、記録用紙２の種類が両面記録専用紙であるか否かを判断し、両面記録専用紙である場合にはＳ２００において「両面記録は不可」と判断された結果を無効にし、両面への印字を可能にしているので、記録用紙２の種類に合わせ、記録用紙２の両面に品質の良好な画像を効率良く形成できる。
【０１１２】
また、インクの吐出数を計数する所定領域として、記録用紙２の面１頁分を指定しているので、複数毎の記録用紙２に連続して画像形成する際に、それぞれ印字された画像品質にバラツキがなく、品質の良好な画像が得られる。
【０１１３】
（実施の形態２）
次に、図４のフローチャートを用い、実施の形態２における、記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙の種類を操作パネル８４を操作して事前に設定しているものとする。また、図４の処理手順は、印字前に２頁分の印字データに関し、各頁毎にインクの吐出数をカウントし、両面記録の可否を判断して印字を行うものである。また、実施の形態２は、主な手順が実施の形態１の図３に表したフローチャートと共通するので、その共通する部分については、詳細な説明を省き、特徴となる部分を、以下に説明する。
【０１１４】
この記録用紙２への記録動作の処理手順は、ユーザが、インクジェットプリンタ１に記録用紙２への記録を指示したときに図４のフローチャートに示す制御手順がスタートする。
【０１１５】
まず、Ｓ１１０において、ユーザにより予め設定された記録モードが両面記録モードであるか否かを判断する。
【０１１６】
次いで、Ｓ１１０において両面記録モードでない（Ｎｏ）場合には、記録用紙２の第二面（裏面）への印字が不要なので、実施の形態１と同じくＳ１２０に進みＳ１２０〜Ｓ１６０の手順を行い、Ｓ１６０においてＹｅｓになったときに、ＣＰＵ６２による記録動作の制御手順が終了する。
【０１１７】
次に、Ｓ１１０において、両面記録モードである（Ｙｅｓ）場合には、Ｓ１７０に進み、ＡＳＩＣ内のカウンタ６５ｂをリセットする。次いでＳ１８０において、１頁目で印字データが終了する際には１頁分の印字データがＲＡＭ６４内に蓄積されているか否か、又は、２頁分の印字データが蓄積されているか否かを判断する。Ｓ１８０においてＲＡＭ６４内に１頁目で印字データが終了する際の１頁分の印字データ、又は２頁分の印字データが蓄積されていない（Ｎｏ）の場合には、印字データがインターフェース（Ｉ／Ｆ）８６を経て外部のパソコンや画像読取装置からＲＡＭ６４に入力されるまで待機し、蓄積された場合にはＳ１８５に進む。
【０１１８】
次いで、Ｓ１８５において、記録用紙２が両面記録専用紙であるか否かを判断する。実施の形態１と異なり、Ｓ１８０の後すぐに記録用紙２の種類が判断されるのである。記録用紙２が両面記録専用紙である（Ｙｅｓ）場合には、実施の形態１と同じくＳ２１０に進みＳ２１０〜Ｓ３００の手順を行う。つまり、記録用紙２の両面に印字するにあたり、Ｓ１８５において、記録用紙２が両面記録専用紙であると判断されたなら、インクの吐出数を計数することなく、両面への印字が可能と選択され、Ｓ２１０に進む。本発明における計数停止手段は、Ｓ１８５によって、その機能が発現される。
【０１１９】
一方、Ｓ１８５において記録用紙２が両面記録専用紙でない（Ｎｏ）場合には、Ｓ１９０に進み、各頁毎に記録用紙２の面上に印字するために必要なインクの吐出数を、ＲＡＭ６４内の所定領域に記憶された印字データ（ドットのＯＮ／ＯＦＦ情報）を読み出して計数する。１頁目の印字データで終了する場合にはその１頁分のインクの吐出数が計数される。次いで、Ｓ２００において、Ｓ１９０で計数されたインクの吐出数が予め定められた所定値に対して越えているか否かを比較する。
【０１２０】
次いで、Ｓ２００において１頁もインクの吐出数が所定値を越えていない（Ｎｏ）場合には、実施の形態１と同じくＳ２１０に進みＳ２１０〜Ｓ３００の手順を行う。
【０１２１】
一方、Ｓ２００において、１頁でもインクの吐出数が所定値を越えている（Ｙｅｓ）場合には、実施の形態１と同じくＳ３２０に進みＳ３２０〜Ｓ３９０の手順を行う。
【０１２２】
本発明の実施形態２によれば、図４に表したように、Ｓ１８０の後、Ｓ１８５において記録用紙２の種類が両面記録専用紙であるか否かをまず判断し、両面記録専用紙であればインクの吐出数に関わらず両面記録を行うことができるものとしてＳ２１０に進み、記録用紙２へのインクの吐出数を計数することなく両面記録を可能にしているので、記録用紙２の種類に合わせて記録用紙２の両面に良好な画像を得ることができるとともにインクの吐出数を計数するための手間と時間を低減させることができる。
【０１２３】
また、記録用紙２の種類が両面記録専用紙でない場合には、Ｓ１９０において記録用紙２の各頁毎に吐出されるインクの吐出数を計数し、吐出数と予め定められた所定値と比較し、両面記録の可否を判断するので、記録用紙２の両面にインクを吐出して画像を形成したときに画像を損なうことがなく、品質の良好な画像を得ることができる。（実施の形態３）
次に、図５のフローチャートを用い、実施の形態３における記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙の種類を操作パネル８４を操作して事前に設定しているものとする。上述した実施の形態１（図３参照）は、両面記録モードが設定されている場合に２頁分の印字データがあるときには、記録用紙２への印字前に２頁分の印字データに関し、各頁毎にインクの吐出数を計数し、両面記録の可否を判断して印字を行ったが、本実施の形態３においては、記録用紙２への印字前に１頁分の印字データに関してのみインクの吐出数を計数し、両面記録の可否を判断して印字を行うものである。また、実施の形態３は、主な手順が実施の形態１の図３に表したフローチャートと共通するので、その共通する部分については、詳細な説明を省き、特徴となる部分を、以下に説明する。
【０１２４】
この記録用紙２への記録動作の処理手順は、ユーザが、インクジェットプリンタ１に記録用紙２への記録を指示したときに図５のフローチャートに示す制御手順がスタートする。
【０１２５】
まず、Ｓ１１０において、ユーザにより予め設定された記録モードが両面記録モードであるか否かを判断する。
【０１２６】
両面記録モードでない（ＮＯ）と判断された場合には、記録用紙２の第二面（裏面）への印字が不要なので、実施の形態１と同じくＳ１２０に進み、Ｓ１２０以降の手順を行う。
【０１２７】
一方、Ｓ１１０において、両面記録モードである（Ｙｅｓ）と判断された場合には、Ｓ１６５に進み、ＲＡＭ６４の反転フラグが記憶領域６４ａに記憶されている反転フラグをリセットする。つまり、記録用紙２を反転させるとき参照される反転フラグをＯＦＦ状態にする。次いで、Ｓ１７０において、ＡＳＩＣ６５内のカウンタ６５ｂをリセットする。
【０１２８】
次いで、Ｓ４００において、ＲＡＭ６４から画像情報を読み出し、ＲＡＭ６４内に１頁分の画像情報、即ち、印字データが蓄積されたか否かを判断する。Ｓ４００において１頁分の印字データが蓄積されている（Ｙｅｓ）場合には、Ｓ４１０に進み、Ｓ４００において１頁分の印字データが蓄積されていない（Ｎｏ）場合には、１頁分の印字データがインターフェース（Ｉ／Ｆ）８６を経て外部のパソコン（図示せず）や画像読取装置（図示せず）からＲＡＭ６４に入力されるまで待機し、蓄積された後にＳ４１０に進む。
【０１２９】
次いで、Ｓ４１０において、記録用紙２の面上に印字するために必要なインクの吐出数を、ＲＡＭ６４内の所定領域に記憶された１頁分の印字データ（ドットのＯＮ／ＯＦＦ情報）を読み出して、カウンタ６５ｂで計数する。本発明における計数手段は、Ｓ４１０によって、その機能が発現される。
【０１３０】
次いで、Ｓ４２０において、Ｓ４１０で計数されたインクの吐出数が予め定められた所定値に対して越えているか否かを比較する。本発明における比較手段は、Ｓ４２０によって、その機能が発現される。
【０１３１】
次いで、Ｓ４２０においてインクの吐出数が所定値を越えていない（Ｎｏ）場合には、Ｓ４３０に進み、インクの吐出数が所定値を越えた（Ｙｅｓ）場合にはＳ５５０（Ｙｅｓ）へ進む。つまり、記録用紙２の第二面（裏面）に画像を形成するにあたり、Ｓ４２０で比較した吐出数が、予め両面記録の可否を判断するために定められた所定値を越えている場合には両面への記録が不可と判断されてＳ５５０に進み、一方、Ｓ４２０で比較した吐出数が、所定値を越えていない場合には両面への記録が可能と判断されてＳ４３０に進むことになる。本発明における判断手段は、Ｓ４２０によって、その機能が発現される。
【０１３２】
次いで、Ｓ４２０においてインクの吐出数が所定値を越えていない（Ｎｏ）場合には、Ｓ４３０に進み、ＲＡＭ６４内の反転フラグ記憶領域６４ａを参照して反転フラグがＯＮ状態であるか否かを判断する。尚、本実施例では、１頁目の印字（所謂、記録用紙の第一面への印字である）においては、反転フラグがＳ１６５においてリセットされ、ＯＦＦの状態にある。即ち、記録用紙２の第一面に印字する際には反転フラグはＯＦＦ状態であり、記録用紙２の第二面に印字する際には反転フラグはＯＮ状態となっている。
【０１３３】
次いで、Ｓ４３０において、反転フラグがＯＮ状態となっている（Ｙｅｓ）場合には、記録用紙２の第一面は既に印字が終了していることを意味するので、記録用紙２の第二面に印字するために、Ｓ４４０に進み、記録用紙２を、インクジェットプリンタの筐体３１内の搬送路Ｇ、Ｈを経て反転させ、再度記録位置Ｐに搬送する。次いで、Ｓ４５０において、印字ヘッド８を介して記録用紙２の面上に向けてインクを吐出し、記録用紙２の第二面に１頁分の印字を行う。次いで、Ｓ４６０において、記録用紙２を、インクジェットプリンタの筐体３１内の搬送路Ｇ、Ｈを経て再度反転させ、続いて、Ｓ４７０において、インクジェットプリンタの筐体３１内の搬送路Ｆを経て排出トレイ２０に記録用紙２の第一面が下面を向くように排出する。次いで、Ｓ４８０において、反転フラグをＯＦＦ状態にする。次いで、Ｓ４９０において、全頁の印字を終えているか否かを判断する。Ｓ４９０において全頁の印字を終えている（Ｙｅｓ）場合には、ＣＰＵ６２による記録動作の制御手順が終了する。Ｓ４９０において全頁の印字を終えていない（Ｎｏ）場合にはＳ１７０に戻る。
【０１３４】
次に、ステップ４３０において、反転フラグがＯＮ状態となっていない（Ｎｏ）場合には、記録用紙２の第一面はまだ印字が行われていないことを意味するので、記録用紙２の第一面に印字するためにＳ５００に進み、給紙トレイ３に積載された記録用紙２を、インクジェットプリンタの筐体３１内に１枚給紙し、記録位置Ｐに搬送する。次いで、Ｓ５１０において、ヘッド制御部６７とモータ制御部６８を制御し、記録用紙２を副走査方向に搬送するとともに、印字ヘッド８を主走査方向に移動させつつ、記録用紙２に向けてインクを吐出し、記録用紙２の第一面上に１頁分の印字を行い、続いて、Ｓ５２０において、反転フラグ信号をＯＮ状態にする。
【０１３５】
次いで、Ｓ５３０において、全頁の印字を終えているか否かを判断する。Ｓ５３０において全頁の印字を終えている（Ｙｅｓ）と判断された場合には、Ｓ５４０に進み、記録用紙２を、搬送路Ｆを経て排出トレイ２０へと排出し、その後、記録動作の制御手順が終了する。Ｓ５３０において全頁の印字を終えていない（Ｎｏ）場合には記録用紙の第二面上に印字がなされる可能性があるために、Ｓ１７０に戻る。
【０１３６】
一方、Ｓ４２０において、インクの吐出数が所定値を越えている（Ｙｅｓ）場合には、記録用紙２の両面への印字が不可と判断され、Ｓ５５０に進む。
【０１３７】
次いで、Ｓ５５０において、記録用紙２が両面記録専用紙であるか否かが判断される。Ｓ５５０において記録用紙２が両面記録専用紙である（Ｙｅｓ）と判断された場合には、Ｓ４３０に進み、前述のＳ４３０以降の手順を行う。つまり、Ｓ５５０において、記録用紙２が両面記録専用紙であると判断されると、Ｓ４２０において両面への印字が不可と判断された結果が無効にされ、記録用紙２の両面に印字を行う手順が行われる。本発明における無効手段は、Ｓ５５０によって、その機能が発現される。
【０１３８】
一方、Ｓ５５０において、記録用紙２が両面記録専用紙でない（Ｎｏ）と判断された場合には、Ｓ５６０に進み、ＲＡＭ６４の反転フラグ記憶領域６４ａを参照して反転フラグがＯＮ状態であるか否かを判断する。Ｓ５６０において、反転フラグがＯＮ状態ではない（Ｎｏ）場合には、記録用紙２の第一面に印字するためにＳ５００に進み、前述のＳ５００以降の手順を行う。Ｓ５６０において、反転フラグがＯＮ状態である（Ｙｅｓ）場合には、記録用紙２を、インクジェットプリンタの筐体３１内の搬送路Ｆを経て排出トレイ２０に排出する。即ち、Ｓ４２０において両面記録の不可が選択され、且つ、記録用紙２が両面記録専用紙ではないので、記録用紙２の第二面上に印字をしないで記録用紙２を排出するのである。次いで、Ｓ５８０において、反転フラグをＯＦＦ状態にする。次いで、Ｓ５９０において、給紙トレイ３に積載された記録用紙２を、インクジェットプリンタの筐体３１内に１枚給紙し、記録位置Ｐに搬送する。次いで、Ｓ６００において、ヘッド制御部６７とモータ制御部６８を制御し、記録用紙２を副走査方向に搬送するとともに、印字ヘッド８を主走査方向に移動させつつ、記録用紙２の第一面上に向けてインクを吐出して１頁分の印字を行う。次いで、Ｓ６１０において、記録用紙２を、インクジェットプリンタの筐体３１内の搬送路Ｆを経て排出トレイ２０に排出する。次いで、Ｓ６２０において、全頁の印字を終えているか否かを判断する。Ｓ６２０において全頁の印字を終えている（Ｙｅｓ）場合には、記録動作の制御手順が終了する。Ｓ６２０において全頁の印字を終えていない（Ｎｏ）場合にはＳ１７０に戻る。
【０１３９】
本発明の実施形態３によれば、図５に表したように、記録用紙２に印字する前に、Ｓ４１０において記録用紙２の１頁分に吐出されるインクの吐出数を計数し、計数された吐出数と予め定められた所定値と比較し、両面記録の可否を判断するので、記録用紙２の両面にインクを吐出して画像を形成したときに画像を損なうことがなく、品質の良好な画像を得ることができる。
【０１４０】
また、Ｓ５５０において、記録用紙の種類が両面記録専用紙であるか否かを判断し、両面記録専用紙である場合にはＳ４２０において「両面記録は不可」と判断された結果を無効にし、両面への印字を可能にしているので、記録用紙２の種類に応じて、記録用紙２の両面に品質の良好な画像を効率良く形成できる。
【０１４１】
（実施の形態４）
次に、図６のフローチャートを用い、実施の形態４における記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙の種類を操作パネル８４を操作して事前に設定しているものとする。また、図６の処理手順は、印字前に１頁分の印字データに関し、インクの吐出数をカウントし、両面記録の可否を判断して印字を行うものである。また、実施の形態４は、主な手順が実施の形態３の図５に表したフローチャートと共通するので、その共通する部分については、詳細な説明を省き、特徴となる部分を、以下に説明する。
【０１４２】
この記録用紙２への記録動作の処理手順は、ユーザが、インクジェットプリンタ１に記録用紙２への記録を指示したときに図６のフローチャートに示す制御手順がスタートする。
【０１４３】
まず、Ｓ１１０において、ユーザにより予め設定された記録モードが両面記録モードであるか否かを判断する。
【０１４４】
両面記録モードでない（ＮＯ）と判断された場合には、記録用紙２の第二面（裏面）への印字が不要なので、実施の形態３と同じくＳ１２０に進み、Ｓ１２０以降の手順を行う。
【０１４５】
一方、Ｓ１１０において、両面記録モードである（Ｙｅｓ）と判断された場合には、Ｓ１６５に進んで、反転フラグをリセットし、続いて、Ｓ１７０においてＡＳＩＣ６５内のカウンタ６５ｂをリセットする。
【０１４６】
次いで、Ｓ４００において、ＲＡＭ６４から画像情報を読み出し、ＲＡＭ６４内に１頁分の画像情報、即ち、印字データが蓄積されたか否かを判断する。Ｓ４００において１頁分のデータが蓄積されている（Ｙｅｓ）場合には、Ｓ４０５に進み、１頁分の印字データが蓄積されていない（Ｎｏ）場合には、１頁分の印字データがインターフェース（Ｉ／Ｆ）８６を介して図示されない外部のパソコンや画像読取装置からＲＡＭ６４に入力されるまで待機し、蓄積された後にＳ４０５に進む。
【０１４７】
次いで、Ｓ４０５において記録用紙２が両面記録専用紙であるか否かを判断する。実施の形態３と異なり、Ｓ４００の後すぐに記録用紙２の種類が判断されるのである。記録用紙２が両面記録専用紙である（Ｙｅｓ）場合には、実施の形態３と同じくＳ４３０に進み、Ｓ４３０以降の手順を行う。
【０１４８】
一方、記録用紙２が両面記録専用紙でない（Ｎｏ）場合には、Ｓ４１０に移り、記録用紙２の面上に印字するために必要なインクの吐出数を、ＲＡＭ６４内の所定領域に記憶された１頁分の印字データ（ドットのＯＮ／ＯＦＦ情報）を読み出してカウンタ６５ｂで計数する。次いで、Ｓ４２０において、Ｓ４１０で計数されたインクの吐出数が予め定められた所定値に対して越えているか否かを比較する。
【０１４９】
インクの吐出数が所定値を越えていない（Ｎｏ）場合には、実施の形態３と同じくＳ４３０に進み、Ｓ４３０以降の手順を行う。
【０１５０】
一方、Ｓ４２０においてインクの吐出数が所定値を越えている（Ｙｅｓ）場合には、Ｓ５６０に進み、実施の形態３と同じくＳ５６０以降の手順を行う。
【０１５１】
本発明の実施形態４によれば、図６に表したように、Ｓ４０５において記録用紙２の種類が両面記録専用紙であるか否かを判断し、両面記録専用紙であればインクの吐出数に関わらず両面記録を行うことができるものとしてＳ４３０に進み、記録用紙２へのインクの吐出数を計数することなく、両面記録を可能にしているので、記録用紙２の種類に合わせて記録用紙の両面に良好な画像を得ることができるとともにインクの吐出数を計数するための負荷を低減させることができる。
【０１５２】
また、記録用紙２の種類が両面記録専用紙でない場合には、Ｓ４２０において記録用紙２の１頁分に吐出されるインクの吐出数を計数し、吐出数と予め定められた所定値と比較し、両面記録の可否を判断するので、記録用紙２の両面にインクを吐出して画像を形成したときに画像を損なうことがなく、品質の良好な画像を得ることができる。
【０１５３】
（実施の形態５）
次に、図７のフローチャートを用い、実施の形態５における記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙２の種類を操作パネル８４を操作して事前に設定しているものとする。また、本実施の形態５における図７の処理手順は、記録用紙の第一面に印字中、或いは印字後に、第一面に吐出したインクの吐出数を計数して第二面への印字の可否、即ち両面記録の可否を判断し、印字を行うものである。更には、第二面に印字を行う前に、第二面に吐出される予定のインクの吐出数を予め計数して第二面への印字の可否、即ち両面記録の可否を判断し、印字を行うものである。また、実施の形態５は、主な手順が実施の形態１の図３に表したフローチャートと共通するので、その共通する部分については、詳細な説明を省き、特徴となる部分を、以下に説明する。
【０１５４】
この記録用紙２への記録動作の処理手順は、ユーザが、インクジェットプリンタ１に記録用紙２への記録を指示したときに図７のフローチャートに示す制御手順がスタートする。
【０１５５】
まず、Ｓ１１０において、ユーザにより予め設定された記録モードが両面記録モードであるか否かを判断する。
【０１５６】
両面記録モードでない（ＮＯ）と判断された場合には、記録用紙２の第二面（裏面）への印字が不要なので、実施の形態１と同じくＳ１２０に進み、Ｓ１２０以降の手順を行う。
【０１５７】
一方、Ｓ１１０において、両面記録モードである（Ｙｅｓ）と判断された場合には、Ｓ１７０に進み、ＡＳＩＣ内のドロップカウンタ６５ａ及びカウンタ６５ｂをリセットする。つまり、以前に計数されたインクの吐出数をリセットする。
【０１５８】
次いで、Ｓ４００において、ＲＡＭ６４から画像情報を読み出し、ＲＡＭ６４内に１頁分の画像情報、即ち、印字データが蓄積されたか否かを判断する。１頁分の印字データが蓄積されている（Ｙｅｓ）場合にはＳ７００に進み、１頁分の印字データが蓄積されていない（Ｎｏ）場合には、１頁分のデータがインターフェース（Ｉ／Ｆ）８６を介して外部のパソコン（図示せず）や画像読取装置（図示せず）からＲＡＭ６４に蓄積されるまで待機し、蓄積された後にＳ７００に進む。
【０１５９】
次いで、Ｓ７００において、ＲＡＭ６４内に蓄積された１頁分の印字データが最終頁の印字データであるか否かを判断する。その印字データが最終頁の印字データである（Ｙｅｓ）と判断された場合には、Ｓ８６０に進み、給紙トレイ３に積載された記録用紙２を、インクジェットプリンタ１の筐体３１内に１枚給紙する。次いで、Ｓ８７０において、ヘッド制御部６７とモータ制御部６８を制御して、記録用紙の第一面に最終頁である１頁分の印字を行う。次いで、Ｓ８８０において、記録用紙２を、インクジェットプリンタの筐体３１内の搬送路Ｆを経て排出トレイ２０へ排出して、この制御手順を終了する。
【０１６０】
一方、Ｓ７００において最終頁でない（Ｎｏ）と判断された場合には、Ｓ７１０に進み、給紙トレイ３に積載された記録用紙２を、インクジェットプリンタ１の筐体３１内に１枚給紙する。
【０１６１】
次いで、Ｓ７２０において、記録用紙２の第一面上に１頁分の印字を行いつつインクの吐出数をドロップカウンタ６５ａで計数する。つまり、印字ヘッド８を介して記録用紙２の上面に向けてインクを吐出して１頁分の印字を行うとともに、ＡＳＩＣ６５によって印字ヘッド８に入力されるインクの吐出信号の数に基づいて、印字ヘッド８から吐出されるインクの吐出数をドロップカウンタ６５ａによって計数するのである。本発明における計数手段は、Ｓ７２０によって、その機能が発現される。
【０１６２】
次いで、Ｓ７３０において、ドロップカウンタ６５ａにより計数されたインクの吐出数が予め定められた所定値を越えているか否かを比較する。本発明における比較手段は、Ｓ７３０によって、その機能が発現される。
【０１６３】
インクの吐出数が所定値を越えていない（Ｎｏ）場合には、Ｓ７４０に進み、インクの吐出数が所定値を越えている（Ｙｅｓ）場合にはＳ８９０（Ｙｅｓ）へ進む。つまり、記録用紙２の第二面（裏面）に画像を形成するにあたり、記録用紙２の第一面（表面）に吐出されたインクの吐出数が予め両面記録の可否を判断するために定められた所定値を越えている場合には、両面への記録が不可と判断されてＳ８９０に進み、一方、記録用紙２の第一面（表面）に吐出されたインクの吐出数が所定値を越えていない場合には、両面への記録が可能と判断されてＳ７４０に進むことになる。本発明における判断手段は、Ｓ７３０によって、その機能が発現される。
【０１６４】
Ｓ７３０において記録用紙２の第一面（表面）に吐出されたインクの吐出数が所定値を越えていない（Ｎｏ）場合には、Ｓ７４０に進み、次頁の１頁分の印字データがＲＡＭ６４内に蓄積されているか否かを判断する。次頁（第２面）の１頁分の印字データが蓄積されていない（Ｎｏ）場合には、次頁の１頁分のデータがインターフェース（Ｉ／Ｆ）８６を介して図示しない外部のパソコンや画像読取装置からＲＡＭ６４に入力されるまで待機し、次頁の１頁分の印字データが蓄積された場合（Ｙｅｓ）にはＳ７５０に進む。
【０１６５】
Ｓ７５０において、記録用紙２の第二面上に印字するために必要なインクの吐出数を、ＲＡＭ６４内の所定領域に記憶された次頁１頁分の印字データ（ドットのＯＮ／ＯＦＦ情報）を読み出してカウンタ６５ｂによって計数する。本発明における第二面計数手段は、Ｓ７５０によって、その機能が発現される。
【０１６６】
次いで、Ｓ７６０において、Ｓ７５０で計数された、記録用紙２の第二面（裏面）に吐出されるべきインクの吐出数が予め定められた所定値を越えているか否かを比較する。インクの吐出数が所定値を越えている（Ｙｅｓ）場合には、記録用紙２の第二面への記録の不可が判断され、Ｓ７７０に進む。即ち、Ｓ７３０によって両面記録可能と判断されたものの、Ｓ７６０によって、キャンセルされることになる。本発明におけるキャンセル手段は、Ｓ７６０によって、その機能が発現される。
【０１６７】
次いで、Ｓ７７０において、記録用紙２が両面記録専用紙であるか否かが判断される。Ｓ７７０において記録用紙２が両面記録専用紙でない（Ｎｏ）と判断された場合には、Ｓ７８０に移り、記録用紙２を、インクジェットプリンタ１の筐体３１内の搬送路Ｆを経て排出トレイ２０へ排出する。次いで、Ｓ７９０において、給紙トレイ３に積載された記録用紙２を、インクジェットプリンタ１の筐体３１内に１枚給紙する。次いで、Ｓ８００において、ヘッド制御部６７とモータ制御部６８を制御して、次頁の１頁分の印字データに基づいて記録用紙２に印字を行い、更に、Ｓ８４０において、その記録用紙２を排出トレイ２０へ排出する。次いで、Ｓ８５０において、全頁の印字を終えたか否かが判断される。全頁の印字を終えている（Ｙｅｓ）と判断された場合には、記録動作の制御手順が終了する。全頁の印字を終えていない（Ｎｏ）と判断された場合には、再びＳ１７０に戻る。
【０１６８】
一方、Ｓ７７０において記録用紙２が両面記録専用紙である（Ｙｅｓ）と判断された場合には、記録用紙２の第二面に印字を行うためにＳ８１０に進む。また、Ｓ７６０において、Ｓ７５０で計数された、記録用紙２の第二面（裏面）に吐出されるべきインクの吐出数が所定値を越えていない（Ｎｏ）場合にも、Ｓ８１０に進む。
【０１６９】
次いで、Ｓ８１０において、記録用紙２を、インクジェットプリンタ１の筐体３１の搬送路Ｇ、Ｈを経て反転させ、再度記録位置Ｐに搬送する。次いで、Ｓ８２０において、印字ヘッド８を介して記録用紙２の面上に向けてインクを吐出し、記録用紙の第二面に次頁の１頁分の印字を行う。次いで、Ｓ８３０において、記録用紙２を搬送路Ｇ、Ｈを経て再度反転させ、その後、上述した通り、Ｓ８４０以降の手順を行う。
【０１７０】
一方、Ｓ７３０において、記録用紙２の第一面（表面）に吐出されたインクの吐出数が所定値を越えている（Ｙｅｓ）と判断された場合には、Ｓ８９０に進み、記録用紙２が両面記録専用紙であるか否かを判断する。記録用紙２が両面記録専用紙である（Ｙｅｓ）場合には、Ｓ９００に進む。つまり、Ｓ８９０において、記録用紙２が両面記録専用紙であると判断されると、Ｓ７３０において両面への印字が不可と判断された結果が無効にされ、記録用紙２の両面に印字を行う手順が行われる。本発明における無効手段は、Ｓ８９０によって、その機能が発現される。
【０１７１】
次いで、Ｓ９００において、次頁の１頁分の印字データがＲＡＭ６４内に蓄積されているか否かを判断する。次頁の１頁分の印字データが蓄積されている（Ｙｅｓ）場合には、前述のＳ８１０に進み、Ｓ８１０以降の手順を行う。一方、次頁の１頁分の印字データが蓄積されていない（Ｎｏ）場合には、次頁の１頁分のデータがインターフェース（Ｉ／Ｆ）８６を介して図示しない外部のパソコンや画像読取装置からＲＡＭ６４に入力されるまで待機し、蓄積された後にＳ８１０に進む。
【０１７２】
一方、Ｓ８９０において、記録用紙２が両面記録専用紙でない（Ｎｏ）と判断された場合にはＳ９１０へ進み、記録用紙２を、インクジェットプリンタ１の筐体３１内の搬送路Ｆを経て排出トレイ２０へ排出する。
【０１７３】
次いで、Ｓ９２０において、１頁分の印字データがＲＡＭ６４内に蓄積されているか否かを判断する。次頁の１頁分の印字データが蓄積されている（Ｙｅｓ）と判断された場合には、Ｓ９３０に進み、１頁分の印字データが蓄積されていない（Ｎｏ）と判断された場合には、１頁分の印字データがインターフェース（Ｉ／Ｆ）８６を介して図示しない外部のパソコンや画像読取装置からＲＡＭ６４に入力されるまで待機し、蓄積された後にＳ９３０に進む。
【０１７４】
次いで、Ｓ９３０において、給紙トレイ３に積載された記録用紙２をインクジェットプリンタ１の筐体３１内に１枚給紙する。次いで、Ｓ９４０において、ヘッド制御部６７とモータ制御部６８を制御して、１頁分の印字を行う。次いで、Ｓ８４０に進み、上述した通りＳ８４０以降の手順を行う。
【０１７５】
本発明の実施形態５によれば、図７に表したように、Ｓ７２０において、１頁目の印字を行いつつドロップカウンタ６５ａで実際に吐出したインクの吐出数を計数し、Ｓ７３０において、その吐出数と予め定められた所定値と比較し、両面記録の可否を判断するので、記録用紙２の両面にインクを吐出して画像を形成したときに画像を損なうことがなく、品質の良好な画像を得ることができる。また、種々の画像に対して、的確に裏写りの有無を判定し、両面記録の可否を効果的に判断できる。
【０１７６】
また、Ｓ７５０において、記録用紙２の次頁（第１頁の裏面）に印字する前に記録用紙２の次頁に吐出される予定のインクの吐出数を計数し、Ｓ７３０により両面記録可と判断されている場合でも、Ｓ７５０によって計数されたインクの吐出数に基づいて、Ｓ７６０においてインクの吐出数と予め定められた所定値とを比較し、両面記録の可否が再度判断されるので、記録用紙２の第二面に吐出されるインクの吐出数が多いことによって、記録用紙２の両面の画像品質を損なうことがなく、記録用紙２の両面に品質の良好な画像を効率良く形成できる。
【０１７７】
また、Ｓ７７０、Ｓ８９０において記録用紙の種類が両面記録専用紙であるか否かを判断し、両面記録専用紙である場合には、Ｓ７３０、Ｓ７６０においてインクの吐出数と予め定められた所定値とを比較した結果両面記録の不可が判断されたとしても両面への印字を可能にしているので、記録用紙２の種類に合わせて記録用紙の両面に良好な画像を得ることができる。（実施の形態６）
次に、図８のフローチャートを用い、実施の形態６における記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙の種類を操作パネル８４を操作して事前に設定しているものとする。また、本実施の形態６における図８の処理手順は、記録用紙の第一面に印字中、或いは印字後に、第一面に吐出したインクの吐出数を計数して第二面への印字の可否、即ち両面記録の可否を判断し、印字を行うものである。更には、第二面に印字を行う前に、第二面に吐出される予定のインクの吐出数を予め計数して第二面への印字の可否、即ち両面記録の可否を判断し、印字を行うものである。また、実施の形態６は、主な手順が実施の形態５の図７に表したフローチャートと共通するので、その共通する部分については、詳細な説明を省き、特徴となる部分を以下に説明する。
【０１７８】
この記録用紙２への記録動作の処理手順は、ユーザが、インクジェットプリンタ１に記録用紙２への記録を指示したときに図８のフローチャートに示す制御手順がＳＴＡＲＴする。
【０１７９】
まず、Ｓ１１０において、ユーザにより予め設定された記録モードが両面記録モードであるか否かを判断する。
【０１８０】
Ｓ１１０において両面記録モードでない（ＮＯ）と判断された場合には、記録用紙２の第二面（裏面）への印字が不要なので、実施の形態１と同じくＳ１２０に進み、Ｓ１２０以降の手順を行う。
【０１８１】
一方、Ｓ１１０において、両面記録モードである（Ｙｅｓ）と判断された場合には、Ｓ１７０に進み、ＡＳＩＣ内のＡＳＩＣ内のドロップカウンタ６５ａ及びカウンタ６５ｂをリセットする。
【０１８２】
次いで、Ｓ４００において、ＲＡＭ６４から画像情報を読み出し、ＲＡＭ６４内に１頁分の画像情報、即ち、印字データが蓄積されたか否かを判断する。Ｓ４００において１頁分の印字データが蓄積されている（Ｙｅｓ）場合には、Ｓ７００に進み、１頁分の印字データが蓄積されていない（Ｎｏ）場合には、１頁分の印字データがインターフェース（Ｉ／Ｆ）８６を介して外部のパソコン（図示せず）や画像読取装置（図示せず）からＲＡＭ６４に入力されるまで待機し、蓄積された後にＳ７００に進む。
【０１８３】
次いで、Ｓ７００において、ＲＡＭ６４内に蓄積された１頁分の印字データが最終頁の印字データであるか否かを判断し、最終頁の印字データである（Ｙｅｓ）と判断された場合には、実施の形態５と同じくＳ８６０に進み、Ｓ８６０以降の手順を行う。
【０１８４】
一方、最終頁の印字データでない（Ｎｏ）と判断された場合には、Ｓ７０５に進み、記録用紙２が両面記録専用紙であるか否かを判断する。記録用紙２が両面記録専用紙である（Ｙｅｓ）と判断された場合にはＳ８０７に進み、給紙トレイ３に積載された記録用紙２を、インクジェットプリンタ１の筐体３１内に１枚給紙する。次いで、Ｓ８０８において、ヘッド制御部６７とモータ制御部６８を制御して、１頁分の印字を行う。次いで、Ｓ８０９において、次頁の１頁分の印字データがＲＡＭ６４内に蓄積されているか否かを判断し、次頁の１頁分の印字データが蓄積されている（Ｙｅｓ）と判断された場合にはＳ８１０に進み、次頁の１頁分の印字データがまだ蓄積されていない（Ｎｏ）と判断された場合には次頁の１頁分の印字データがインターフェース（Ｉ／Ｆ）８６を介して図示しない外部のパソコンや画像読取装置からＲＡＭ６４に入力されるまで待機し、蓄積された後にＳ８１０に進む。次いで、実施の形態５と同じく、Ｓ８１０以降の手順を行う。
【０１８５】
一方、Ｓ７０５において記録用紙２が両面記録専用紙でない（Ｎｏ）と判断された場合には、Ｓ７１０に進み、給紙トレイ３に積載された記録用紙２を、インクジェットプリンタ１の筐体３１内に１枚給紙する。次いで、Ｓ７２０において、記録用紙２の第一面上に１頁分の印字データに基づいて印字を行いつつ印字ヘッド８から吐出されるインクの吐出数をドロップカウンタ６５ａによって計数する。
【０１８６】
次いで、Ｓ７３０において、ドロップカウンタ６５ａによって計数されたインクの吐出数が予め定められた所定値を越えているか否かを比較する。インクの吐出数が所定値を越えていない（Ｎｏ）場合には、Ｓ７４０に進み、実施の形態５と同じくＳ７４０以降の手順を行う。
【０１８７】
一方、Ｓ７３０においてインクの吐出数が所定値を越えている（Ｙｅｓ）場合には、Ｓ８９０に進み、記録用紙２を、インクジェットプリンタ１の筐体３１内の搬送路Ｆを経て排出トレイ２０へ排出する。次いで、Ｓ９００において、ＲＡＭ６４から画像情報を読み出し、ＲＡＭ６４内に１頁分の画像情報、即ち、印字データが蓄積されたか否かを判断する。１頁分の印字データが蓄積されている（Ｙｅｓ）場合にはＳ７９０に進み、１頁分の印字データが蓄積されていない（Ｎｏ）場合には、１頁分の印字データがインターフェース（Ｉ／Ｆ）８６を介して外部のパソコン（図示せず）や画像読取装置（図示せず）からＲＡＭ６４に入力されるまで待機し、ＲＡＭ６４に蓄積された後にＳ７９０に進む。
【０１８８】
次いで、Ｓ７９０において、給紙トレイ３に積載された記録用紙２を、インクジェットプリンタ１の筐体３１内に１枚給紙する。次いで、Ｓ８００において、ヘッド制御部６７とモータ制御部６８を制御して、記録用紙２の第一面上に１頁分の印字データに基づいて印字を行う。次いで、Ｓ８４０に進み、記録用紙２を搬送路Ｆを経て排出トレイ２０へ排出する。次いで、Ｓ８５０において、全頁の印字を終えたか否かを判断する。全頁の画像形成を終えている（Ｙｅｓ）場合には、記録動作の制御手順が終了する。一方、全頁の画像形成を終えていない（Ｎｏ）場合には、再びＳ１７０に戻る。
【０１８９】
本発明の実施形態６によれば、図８に表したように、Ｓ７０５において記録用紙２の種類が両面記録専用紙であるか否かを判断し、両面記録専用紙であればインクの吐出数に関わらず両面記録を行うことができるものとしてＳ８０７に進み、記録用紙２へのインクの吐出数を計数することなく、両面記録を可能にしているので、記録用紙２の種類に合わせて記録用紙の両面に良好な画像を得ることができるとともにインクの吐出数を計数するための負荷を低減させることができる。
【０１９０】
また、記録用紙２の種類が両面記録専用紙でない場合には、Ｓ７２０において、１頁目の印字を行いつつ記録用紙２の第一面に吐出したインクの吐出数を計数し、Ｓ７３０において、吐出数と予め定められた所定値とを比較し、両面記録の可否を選択するので、記録用紙２の両面にインクを吐出して画像を形成しても画像を損なうことがなく、品質の良好な画像を得ることができる。
【０１９１】
また、Ｓ７３０により両面記録可と判断されている場合でも、記録用紙２の第二面に印字する前に、Ｓ７５０において記録用紙２の第二面に吐出される予定のインクの吐出数を予め計数し、Ｓ７６０において吐出数と所定値とを比較し両面記録の可否が再度判断されるので、記録用紙２の第二面に吐出されるインクの吐出数が多いことによって、記録用紙２の両面の画像品質を損なうことがなく、記録用紙２の両面に品質の良好な画像を効率良く形成できる。
【０１９２】
上述した実施の形態１〜６によれば、記録用紙２におけるインクの吐出数を計数する領域を、記録用紙２の第一面１頁分及び第二面１頁分としたが、操作パネル８４を事前に操作することによって、種々の態様をとることができる。
【０１９３】
たとえば、図９に表したように、ユーザが走査パネル８４を走査することによって、インクの吐出数が計数される領域として、印字ヘッド８が記録用紙２に対して主走査方向に１回分移動する１パス分の領域に指定することができる。更に、１パス分の領域においてインクの吐出数を計数する際に、印字ヘッド８が記録用紙２に対して所定時間内に相対的に移動する毎に計数し、その各所定時間毎に計数されたインクの吐出数の最大値を１パス分の領域におけるインクの吐出数として指定することができる。次に図９のフローチャートを用い、変形例における記録動作の処理手順を説明する。
【０１９４】
まず、Ｓ１５１０でタイマーをクリアするとともに以前に計数されたドロップカウンタ６５ａをリセットする。本実施例では、予め定められた時間内に吐出するインクの吐出数を計数するために、タイマーが用いられる。次いで、Ｓ１５２０において、ヘッド制御部６７とモータ制御部６８を制御して、印字ヘッド８の主走査方向の印字動作をスタートするとともに、タイマーを起動し、Ｓ１５３０において、タイマーにセットされた所定時間に至ると、タイマーの作動を中断し、Ｓ１５４０において、タイマーが作動中の、印字ヘッド８からのインクの吐出数Ｎを計数する。次いで、Ｓ１５５０において、インクの吐出数Ｎが以前に計数されてドロップカウンタ６５ａ内に記憶されている吐出数Ｎｍより大きいか否かを比較する。尚、Ｓ１５１０でドロップカウンタ６５ａをクリアした直後は、ドロップカウンタ６５ａに記憶されているインクの吐出数Ｎｍはゼロである。インクの吐出数Ｎが以前に計数された吐出数Ｎｍより大きい（Ｙｅｓ）場合はＳ１５６０に進み、ドロップカウンタ６５ａにＳ１５４０で計数した吐出数Ｎを上書きしＳ１５７０において、所定時間毎に計数されたインクの吐出数の最大値Ｎｍとして記憶する。一方、インクの吐出数Ｎが以前に計数された吐出数Ｎｍより小さい（Ｎｏ）場合はＳ１５７０に進み、以前に計数されたインクの吐出数をそのまま所定時間毎に計数されたインクの吐出数の最大値Ｎｍとして記憶する。本発明における計数手段は、Ｓ１５２０〜Ｓ１５７０によって、その機能が発現される。次いで、Ｓ１５８０において、１パス分の印字を終了したか否かを判断する。Ｓ１５８０において１パス分の印字を終了していないと判断された（Ｎｏ）場合には、Ｓ１５９０に進み、Ｓ１５９０で再度タイマーを起動し、Ｓ１５３０〜Ｓ１５８０の手順を繰り返す。一方、Ｓ１５８０において１パス分の印字が終了したと判断された（Ｙｅｓ）場合には、１パス分の印字におけるインクの吐出数の最大値Ｎｍがドロップカウンタ６５ａに記憶されるとともに１パス分の印字データが終了する。そして、上述のＳ１５１０以降の手順を繰り返し、１頁分の印字が終了した際に、１パス分の印字におけるインクの吐出数の最大値Ｎｍと両面記録の可否を判断するための所定値と比較し、両面記録の可否を判断すればよい。
【０１９５】
上述の図９に表した変形例によれば、印字ヘッド８が主走査方向に１回分移動する１パス分の印字動作の中で所定時間当たりに吐出されるインクの吐出数を計数し、両面記録の可否を選択しているので、両面記録をした際には、局部的に画像品質を損なうことがない。インクの吐出数を計数する領域として、印字ヘッド８が記録用紙２に対して所定方向（所謂、主走査方向である。）に１回分（所謂、１パス分である。）だけ相対的に移動する領域としているので、インクの記録用紙２への局部的な浸透によって画質を損なうことがなく、品質の良好な画像が得られる。更に、インクの吐出数を計数する領域として、印字ヘッドが記録用紙２に対して所定時間内に相対的に移動する領域としているので、所定時間当たりに吐出されるインク量が偏って多い場合でも、両面記録の可否を精度良く選択でき、両面記録を行う際に、画像を損なうことがなく、品質の良好な画像が得られる。
【０１９６】
尚、記録用紙２におけるインクの吐出数を計数する領域を、記録用紙２の第一面１頁分及び第二面１頁分或いは１パス分として設定する他に、印字ヘッド８が記録用紙２の所定方向に所定量だけ相対的に移動する領域とすることもできる。その際は、リニアエンコーダ１５によって、印字ヘッド８の移動量を検出し、所定の移動量になったときのインクの吐出数を計数すれば良い。これにより、記録用紙２へ記録する領域と実際にインクの吐出数を計数する領域とを精度良く一致させ、記録用紙２の両面記録の可否を効果的に判断できる。
【０１９７】
また、実施の形態１〜６によれば、記録用紙２の種類は、ユーザが操作パネル８４を操作して両面記録専用紙であるか否かを事前に設定しているものとしたが、インクジェットプリンタ１の筐体３１内に記録用紙２が給紙される際に、インクジェットプリンタ１の筐体３１内に配置された反射型光学センサ２１ａ、２１ｂを用いて、記録用紙２の種類を判断し、両面記録専用紙であると判断されたときには、インクの吐出数を計数することなく両面記録が可能と判断してもよい。
【０１９８】
また、両面記録の可否を選択するに当たり、印字ヘッド８が所定量移動する毎にインク吐出数を計数して記録密度（所謂、記録用紙における単位面積あたりのインクの吐出数を表す数）を計数し、所定の記録密度を越える面積が、一定値を越えたときは記録用紙２への両面記録の不可を選択するようにしても良い。これにより、インクの局部的な浸透によって画像を損なうことがなく、品質の良好な画像が得られる。
【０１９９】
また、記録用紙２の種類がインクの吸収速度が遅い記録用紙である場合には、記録用紙２の第一面に印字した後に第二面に記録するまでの開始時間を遅らせるように、次頁の印字開始時間の遅延を制御しても良い。
【０２００】
また、印字ヘッド８から吐出する１滴分の量を切換える吐出切換え手段を備え、吐出切換え手段の切換えに基づいて、比較手段における所定値を選択できるようにしても良い。これにより、さらに、両面記録の可否を精度良く判断できる。
【図面の簡単な説明】
【０２０１】
【図１】本発明の実施の形態１における、インクジェットプリンタの内部構成を模式的に表す断面図である。
【図２】同実施の形態におけるインクジェットプリンタの、制御装置の構成を表すプロック図である。
【図３】同実施の形態１のインクジェットプリンタにおける、記録動作の処理手順を表すフローチャートである。
【図４】本発明の実施の形態２における、記録動作の処理手順を表すフローチャートである。
【図５】本発明の実施の形態３における、記録動作の処理手順を表すフローチャートである。
【図６】本発明の実施の形態４における、記録動作の処理手順を表すフローチャートである。
【図７】本発明の実施の形態５における、記録動作の処理手順を表すフローチャートである。
【図８】本発明の実施の形態６における、記録動作の処理手順を表すフローチャートである。
【図９】変形例における、１パス分の記録動作の処理手順を表すフローチャートである。
【符号の説明】
【０２０２】
１…インクジェットプリンタ、２…記録用紙、３…給紙トレイ、４…給紙ロー
ラ、５…上ガイド、６…下ガイド、７、１４…搬送ローラ、８…印字ヘッド、９
…キャリッジ、１２…プラテン、１０…ガイド軸、１１…ガイドレール、１３…
排出ローラ、１５…リニアエンコーダ、１９…送風機、２０…排出トレイ、２１
…反射型光学センサ、２２…ガイド、２５，２６…フラッパー、３０…再給紙部
、３１…インクジェットプリンタの筐体、４２ａ…圧電素子、６１…制御装置、
６２…ＣＰＵ、６３…ＲＯＭ、６４…ＲＡＭ、６５…ＡＳＩＣ、６５ａ…ドロッ
プカウンタ、６５ｂ…カウンタ、６６…バス、６７…ヘッド制御部、６８…モー
タ制御部、６９…送風制御部、７０…アクチュエータ制御部、８０…キャリッジ
モータ、８１…搬送モータ、８３…搬送路切換アクチュエータ、８４…操作パネ
ル、８５…パネルインターフェース（Ｉ／Ｆ）、８６…インターフェース。
【図１】
2008195083.tif 000003
【図２】
2008195083.tif 000004
【図３】
2008195083.tif 000005
【図４】
2008195083.tif 000006
【図５】
2008195083.tif 000007
【図６】
2008195083.tif 000008
【図７】
2008195083.tif 000009
【図８】
2008195083.tif 000010
【図９】
2008195083.tif 000011
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
記録媒体の面上にインクを吐出する印字ヘッドを備え、記録媒体の第一面に画像を形成後、この第一面の裏面になる第二面に画像を形成可能な両面記録装置であって、
遅くとも前記印字ヘッドが第二面に画像を形成する前までに、前記印字ヘッドから記録媒体上の両面それぞれの所定領域に吐出されるインクの吐出数を計数する計数手段と、
前記計数手段によって計数されたインクの吐出数を、予め設定された所定値と比較する比較手段と、
前記比較手段の比較結果に基づいて、記録媒体に対する両面記録の可否を判断する判断手段と
を備えたことを特徴とする両面記録装置。
【請求項２】
前記比較手段の比較結果において、記録媒体上の両面それぞれの所定領域に吐出されるインクの吐出数のうち、一方の吐出数でも前記所定値を越えている場合には、前記判断手段は、記録媒体への両面記録の不可を判断することを特徴とする請求項１に記載の両面記録装置。
【請求項３】
前記計数手段は、前記印字ヘッドが記録媒体の第一面に画像を形成する際に、当該印字ヘッドが前記第一面の所定領域に吐出するインクの吐出数を計数することを特徴とする請求項１又は２に記載の両面記録装置。
【請求項４】
前記所定領域を予め指定するための領域指定手段を備え、前記計数手段は当該領域指定手段によって指定された所定領域に吐出されるインクの吐出数を計数することを特徴とする請求項１〜３の何れかに記載の両面記録装置。
【請求項５】
前記領域指定手段により指定可能な領域の一つは、記録媒体の面１頁分であることを特徴とする請求項４に記載の両面記録装置。
【請求項６】
前記領域指定手段により指定可能な領域の一つは、前記印字ヘッドが記録媒体に対して所定方向に１回分だけ相対的に移動する領域であることを特徴とする請求項４に記載の両面記録装置。
【請求項７】
前記領域指定手段により指定可能な領域の一つは、前記印字ヘッドが記録媒体に対して所定時間内に相対的に移動する領域であることを特徴とする請求項４に記載の両面記録装置。
【請求項８】
前記領域指定手段により指定可能な領域の一つは、前記印字ヘッドが記録媒体に対して所定方向に所定量だけ相対的に移動する領域であることを特徴とする請求項４に記載の両面記録装置。
【請求項９】
記録媒体における単位面積あたりのインクの吐出数を記録密度と呼ぶ場合において、
前記判断手段は、記録媒体上の両面それぞれの記録密度のうち、予め定められた記録密度を超える部分の面積が、一定面積を越えるときは記録媒体への両面記録の不可を判断することを特徴とする請求項１に記載の両面記録装置。
【請求項１０】
記録媒体上の両面それぞれの所定領域は、各面１頁分であることを特徴とする請求項１に記載の両面記録装置。
【請求項１１】
複数の記録媒体への記録を行う際に、前記判断手段は、記録媒体毎に両面記録の可否を判断することを特徴とする請求項１〜１０のいずれか１つに記載の両面記録装置。
【手続補正２】
【補正対象書類名】明細書
【補正対象項目名】全文
【補正方法】変更
【補正の内容】
【発明の詳細な説明】
【技術分野】
【０００１】
本発明は、印字ヘッドを介して記録媒体の両面に画像を形成する両面記録装置及び両面記録方法に関するものである。
【背景技術】
【０００２】
従来、例えばプリンタや複写機などで、記録用紙（所謂、記録媒体である）の両面に、印字ヘッドを介してインクを吐出するインクジェット方式によってインクを定着させ画像を形成する両面記録装置が知られている。
【０００３】
このような、インクジェット方式の記録装置では、同一画素に吐出するインクの吐出数又は吐出量を変化させて画像の階調表現を行い、インクの定着は空気中への水分の蒸発と記録用紙への吸収によって行われる。しかし、大部分のインクは記録用紙に吸収されるため、記録用紙の両面に印刷を行った場合、インクの吐出量が多いと、裏面の画像が濃く透けて見えて（所謂、「裏写り」である）画像の品質を損なうことがある。また、記録用紙に吐出するインクの吐出量が多いと、記録用紙にシワが発生したりして、記録用紙が装置内の搬送路で詰まり、円滑な搬送を妨げたりすることがある。
【０００４】
そこで、使用するインクの種類（例えば、淡色か濃色かの種類）や記録モード（高解像度か低解像度かのモード）によって両面記録の可否を設定する液体噴射記録制御装置（所謂、両面記録装置である）がある。つまり、両面記録装置において、記録モードの選択が高画質であって、そこで用いるインクの種類が淡色の際には、記録用紙に吐出するインク量が多くなり裏写りがし易いので、両面記録を禁止し片面のみの記録を行うように、両面記録を片面記録に切換えるものがある。（例えば、特許文献１参照）。
【特許文献１】特開２０００−１４１６２７号公報（第３−４頁、第１−４図）
【発明の開示】
【発明が解決しようとする課題】
【０００５】
しかしながら、特許文献１の液体噴射制御装置によれば、記録モードやインクの種類によって、両面記録の可否を選択しているので、種々の画像に対して、的確に裏写りの有無を判断し、両面記録の可否を効果的に判断することが出来ないという問題があった。
【０００６】
つまり、記録モードが高解像度のカラー印刷をする際に、記録用紙に形成する画像の階調が低く、インクの吐出量が少ない場合であっても、記録モードやインクの種類によって、不要に両面記録の不可を選択してしまう虞がある。
【０００７】
また、記録モードが低解像度の印刷をする際に、記録用紙に形成する画像の階調が高く、インクの吐出量が多い場合であっても、記録モードやインクの種類によって、誤って両面記録の可を選択してしまう虞がある。
【０００８】
本発明は、こうした問題に鑑みなされたもので、記録用紙の両面に画像を形成する際に、種々の画像に対して精度良く裏写りの有無を判定し、両面記録の可否を効果的に選択でき、品質の良好な画像を得ることができる両面記録装置及び両面記録方法を提供することを目的とする。
【課題を解決するための手段及び発明の効果】
【０００９】
かかる目的を達成するためになされた請求項１に記載の発明は、記録媒体の面上にインクを吐出する印字ヘッドを備え、記録媒体の第一面に画像を形成後、この第一面の裏面になる第二面に画像を形成可能な両面記録装置であって、遅くとも前記印字ヘッドが第二面に画像を形成する前までに、前記印字ヘッドから記録媒体上の両面それぞれの所定領域に吐出されるインクの吐出数を計数する計数手段と、前記計数手段によって計数されたインクの吐出数を、予め設定された所定値と比較する比較手段と、前記比較手段の比較結果に基づいて、記録媒体に対する両面記録の可否を判断する判断手段とを備えることを特徴とする。
【００１０】
請求項１に記載の両面記録装置によれば、遅くとも印字ヘッドが第二面に画像を形成する前までに、印字ヘッドから記録媒体上の両面それぞれの所定領域に吐出されるインクの吐出数を計数し、インクの吐出数によって記録媒体に対する両面記録の可否を判断できるので、記録媒体の両面にインクを吐出して画像を形成したときに画質を損なうことがなく、記録媒体の両面に品質の良好な画像を得ることができる。また、記録媒体に画像を形成する際に、記録媒体に吐出されるインク量をインクの吐出数によって計測しているので、種々の画像に対して、精度良く裏写りの有無を判定し、両面記録の可否を効果的に判断できる。
【００１１】
次に、請求項２に記載の発明は、請求項１に記載の両面記録装置において、前記比較手段の比較結果において、記録媒体上の両面それぞれの所定領域に吐出されるインクの吐出数のうち、一方の吐出数でも前記所定値を越えている場合には、前記判断手段は、記録媒体への両面記録の不可を判断することを特徴とする。
【００１２】
請求項２に記載の両面記録装置によれば、記録媒体の表面に吐出されるインクの吐出数が多いときは、記録媒体の表面に印字したインクが記録媒体の裏面に浸透し、記録媒体の裏面に印字すると記録媒体の表面及び裏面に印刷された画像品質を損ない易いので、インクの吐出数が一方の吐出数でも所定値を越えたときは、記録媒体の裏面には記録しないようにすることによって、品質の良好な画像が得られる。
【００１３】
次に、請求項３に記載の発明は、請求項１又は請求項２に記載の両面記録装置において、前記計数手段は、前記印字ヘッドが記録媒体の第一面に画像を形成する際に、当該印字ヘッドが前記第一面の所定領域に吐出するインクの吐出数を計数することを特徴とする。
【００１４】
請求項３に記載の両面記録装置によれば、第一面の裏面になる第二面に画像を形成する前に、第一面に吐出終えたインクの吐出数を計数しているので、第二面への記録の可否を確実に判断できる。
【００１５】
次に、請求項４に記載の発明は、請求項１〜請求項３の何れかに記載の両面記録装置において、前記所定領域を予め指定するための領域指定手段を備え、前記計数手段は当該領域指定手段によって指定された所定領域に吐出されるインクの吐出数を計数することを特徴とする。
【００１６】
請求項４に記載の両面記録装置によれば、記録媒体のインクの吐出数を計数する所定領域を予め指定し、指定された所定領域に吐出されるインクの吐出数を計数できるので、記録媒体へ印字する領域と実際に計数する領域とを一致させ、記録媒体の両面記録の可否を、効果的に判断できる。
【００１７】
次に、請求項５に記載の発明は、請求項４に記載の両面記録装置において、前記領域指定手段により指定可能な領域の一つは、記録媒体の面１頁分であることを特徴とする。
【００１８】
請求項５に記載の両面記録装置によれば、インクの吐出数を計数する所定領域として、記録媒体の面１頁分を指定できるので、複数毎の記録媒体に連続して記録する際に、それぞれ記録された画像品質にバラツキがなく、品質の良好な画像が得られる。
【００１９】
次に、請求項６に記載の発明は、請求項４に記載の両面記録装置において、前記領域指定手段により指定可能な領域の一つは、前記印字ヘッドが記録媒体に対して所定方向に１回分だけ相対的に移動する領域であることを特徴とする。
【００２０】
請求項６に記載の両面記録装置によれば、インクの吐出数を計数する領域として、印字ヘッドが記録媒体に対して所定方向に１回分だけ相対的に移動する領域を指定できるので、インクの記録媒体への局部的な浸透によって画質を損なうことがなく、品質の良好な画像が得られる。
【００２１】
次に、請求項７に記載の発明は、請求項４に記載の両面記録装置において、前記領域指定手段により指定可能な領域の一つは、前記印字ヘッドが記録媒体に対して所定時間内に相対的に移動する領域であることを特徴とする。
【００２２】
請求項７に記載の両面記録装置によれば、インクの吐出数を計数する領域として、印字ヘッドが記録媒体に対して所定時間内に相対的に移動する領域を指定できるので、所定時間当たりに吐出されるインク量が偏って多いときには、インク中の揮発成分が十分に空気中に蒸発せず、記録媒体にインクが吸収され易くなるので、インクの吐出数を計数する領域として、印字ヘッドが所定時間に移動する領域を指定し、これにより、両面記録の可否を精度良く選択でき、両面記録を行う際に、画像を損なうことがなく、品質の良好な画像が得られる。
【００２３】
次に、請求項８に記載の発明は、請求項４に記載の両面記録装置において、前記領域指定手段により指定可能な領域の一つは、前記印字ヘッドが記録媒体に対して所定方向に所定量だけ相対的に移動する領域であることを特徴とする。
【００２４】
請求項８に記載の両面記録装置によれば、インクの吐出数を計数する領域として、印字ヘッドが記録媒体の所定方向に所定量だけ相対的に移動する領域を指定できるので、所定方向の所定量の領域毎に、記録媒体へ記録する領域と実際に計数する領域とを精度良く一致させ、記録媒体の両面記録の可否を効果的に判断できる。
【００２５】
次に、請求項９に記載の発明は、請求項１に記載の両面記録装置において、記録媒体における単位面積あたりのインクの吐出数を記録密度と呼ぶ場合において、前記判断手段は、記録媒体上の両面それぞれの記録密度のうち、予め定められた記録密度を超える部分の面積が、一定面積を越えるときは記録媒体への両面記録の不可を判断することを特徴とする。
【００２６】
請求項９に記載の両面記録装置によれば、記録媒体の表面に吐出されるインクの吐出数が多く、所定の記録密度を越える面積が一定値を越えると、画像品質を損なうので、所定の記録密度（所謂、単位面積当たりに吐出数に対し、実際に吐出する吐出数の割合である）を越える面積が一定値を越えたときは両面記録の不可を判断することによって、インクの局部的な浸透によって画像を損なうことがなく、品質の良好な画像が得られる。
【００２７】
次に、請求項１０に記載の発明は、請求項１に記載の両面記録装置において、記録媒体上の両面それぞれの所定領域は、各面１頁分であることを特徴とする。
【００２８】
請求項１０に記載の両面記録装置によれば、インクの吐出数を計数する所定領域として、記録媒体の面１頁分を指定できるので、複数毎の記録媒体に連続して記録する際に、それぞれ記録された画像品質にバラツキがなく、品質の良好な画像が得られる。
【００２９】
次に、請求項１１に記載の発明は、請求項１〜１０のいずれか１つに記載の両面記録装置において、前記判断手段は、記録媒体毎に両面記録の可否を判断することを特徴とする。
【００３０】
請求項１１に記載の両面記録装置によれば、記録媒体毎に該記録媒体の両面記録の可否を判断しているので、複数の記録媒体の内、画像品質を損なうことがない画像が形成されるものには、両面記録を判断し、画像品質を損なう虞があるものには片面記録を判断し、複数の記録媒体に対して両面記録の可否を効果的に判断できる。
【００３１】
【００３２】
【００３３】
【００３４】
【００３５】
【００３６】
【００３７】
【００３８】
【００３９】
【００４０】
【００４１】
【００４２】
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【発明を実施するための最良の形態】
【００６１】
（実施の形態１）
次に、本発明の両面記録装置の一実施形態としてインクジェットプリンタの構成を説明する。
【００６２】
図１はインクジェットプリンタ１の内部構成を模式的に表す断面図、図２は同インクジェットプリンタ１の構成を表すブロック図である。
【００６３】
図１において、インクジェットプリンタ１には、そのインクジェットプリンタの筐体３１内に、搬送モータ（図示せず）により駆動され、記録媒体として備えられた記録用紙２をインクジェットプリンタ１の筐体３１内部に給紙する給紙ローラ４が備えられている。
【００６４】
記録用紙２に画像を形成する際には、先ず、給紙トレイ３に積載された記録用紙２が、給紙ローラ４によって、その最上側から１枚ずつインクジェットプリンタ１の筐体３１内に給紙され、上ガイド５および下ガイド６間を通過し、搬送路（図中の一点鎖線である）に送られる。次いで、記録用紙２は、搬送ローラ７により搬送路に沿って記録位置Ｐに搬送される。
【００６５】
記録位置Ｐでは、搬送ローラ７によって搬送された記録用紙２上に画像を形成するために、インクを吐出する印字ヘッド８がキャリッジ９に支持されており、印字ヘッド８と対向する位置には記録シート２を裏面側から支持するプラテン１２が備えられている。
【００６６】
キャリッジ９は、ガイド軸１０およびガイドレール１１に沿って案内され、キャリッジモータ（図示せず）の駆動力によって記録用紙２と平行であって図面中の記録用紙２の搬送方向Ａ（以下、副走査方向という）と直交する方向（図１の紙面に対して垂直方向。以下、主走査方向という。）に往復移動する。そして、印字ヘッド８は、キャリッジ９を介して主走査方向に走査される。
【００６７】
また、印字ヘッド８の主走査方向の移動量を検出するためのリニアエンコーダ１５が、主走査方向に沿ってキャリッジ９と対向するように、備えられている。
【００６８】
また、印字ヘッド８は、４色のカラーインク（イエロー、シアン、マゼンタ、ブラック）毎に設けられたインクタンク（図示せず）と、ヘッド制御部（図示せず）からの駆動信号に基づいて各インクタンクのインクを記録用紙２に向けて吐出する複数の微細なノズル（図示せず）とを備えている。
【００６９】
次いで、記録位置Ｐにおいて、記録用紙２を副走査方向に所定ピッチで搬送するとともに、印字ヘッド８を主走査方向に移動させつつ、印字ヘッド８を介して記録用紙２の上面（所謂、第一面である）に向けてインクを吐出し、所定の画像を形成する。つまり、記録用紙２に連続した画像を形成する際には、搬送ローラ７の回転による記録用紙２の副走査方向の搬送動作と、印字ヘッド８による画像形成動作（主走査方向の移動及びインクの吐出動作）とを、交互に繰り返す。
【００７０】
次いで、記録用紙２は、上面に画像が形成された後に、搬送ローラ１３により、搬送路切換え部Ｓに導かれる。
【００７１】
搬送路切換部Ｓには、搬送路切換アクチュエータ８３（図２参照）によって実線又は破線の位置に移動可能なフラッパー２５が備えられ、フラッパー２５の移動によって記録用紙２の搬送方向が矢印Ｂ方向又はＥ方向に切換えられる。
【００７２】
次いで、両面記録が選択されている場合には、フラッパー２５は実線の位置に配置され、記録用紙２は搬送ローラ１３によって、搬送路Ｇに沿って矢印Ｂ方向に搬送され、搬送路切換部Ｒ及び搬送ローラ１４を通過し、インクジェットプリンタの筐体３１の下部に設けられた再給紙部３０に搬送される。搬送路切換部Ｒには、搬送路切換部Ｓと同様に、搬送路切換アクチュエータ８３によって実線又は破線の位置に移動可能なフラッパー２６が備えられ、フラッパー２６の先端が破線の位置に移動することによって記録用紙２の搬送方向が切換えられる。記録用紙２が再給紙部３０に向かって搬送されるときにはフラッパー２６は実線の位置に配置される。
【００７３】
次いで、搬送ローラ１４の回転方向が逆転され、記録用紙２は、図中Ｄ方向に逆送され、搬送路切換え部Ｒに向かって搬送される。このときには、フラッパー２６は破線の位置に配置されているので、記録用紙２は、Ｓ字状をなす搬送路Ｈを経て反転され、搬送ローラ７により再び記録位置Ｐに導かれ、上面（所謂、第二面である）に対し、印字ヘッド８を介してインクを吐出することで、所定の画像を記録用紙２の両面に形成する。そして、本発明における反転手段は、搬送路切換アクチュエータ８３、搬送路Ｇ、Ｈ、フラッパー２５、２６、更には搬送ローラ１４や再給紙部３０によって、その機能が発現される。
【００７４】
次いで、両面（第一面と第二面）に画像が形成された記録用紙２は、排出ローラ１３により、再び搬送路切換部Ｓに導かれ、フラッパー２５が破線に示す位置に配置されることにより搬送路Ｆに沿って上方に搬送され、排出トレイ２０上に順次積載される。但し、この場合には、印字ヘッド８が最後に印字した記録用紙２の第二面が下を向いた状態、即ちフェイスダウンの状態で排出トレイ２０上に記録用紙２が排出されるので、複数枚の記録用紙２の両面にわたって連続する文章や画像を形成する場合には、第一面に第２頁を記録すればよい。あるいは、第二面を記録した後、再び記録用紙２を搬送路Ｇ、Ｈを通過させることで再度反転してから排出トレイ２０上に排出すればよい。
【００７５】
尚、本実施例のインクジェットプリンタ１には、印字ヘッド８と給紙ローラ４との中間部に、２つの発光素子と受光素子とからなる反射型光学センサ２１ａ、２１ｂが備えられている。これらの反射型光学センサ２１ａ、２１ｂは記録用紙２の種類を判別するために使用されるもので、反射型光学センサ２１ａは搬送路の上方に配置され、反射型光学センサ２１ｂは搬送路を挟んで反射型光学センサ２１ａと対向する位置に配置されている。これらの反射型光学センサ２１ａ、２１ｂは、記録用紙２の表面に向かって光を出射する発光素子と、記録用紙２の表面からの反射光を受光する受光素子とから構成されている。制御装置６１は、給紙ローラ４から記録用紙２が搬送されるとき、２つの反射型光学センサ２１ａ、２１ｂの受光素子が受光する反射光量に基づいてその記録用紙２の種類を判断するのである。例えば、両面の反射光量が共に所定値よりも多い場合には、記録用紙２は、その両面が光沢面やインク専用面等の両面記録専用紙であると判断され、少なくとも反射型光学センサ２１ｂの受光素子が受光した反射光量が所定値よりも低い場合には、記録用紙２は、両面記録専用紙ではないと判断されるのである。但し、ユーザが記録用紙２の種類を事前に操作パネル８４から入力することにより、又はＰＣ（パソコン）からインターフェース８６を介して記録用紙２の個別情報を受信することにより、制御装置６１が事前に記録用紙２の種類を取得している場合には、制御装置６１は記録用紙２の種類の自動判別を行う必要はない。
【００７６】
また、印字ヘッド８の後方（図中のＡ方向）には、送風機１９が備えられ、必要に応じて、インクが吐出された記録用紙２に向けて送風し、インクの乾燥を促進できるように構成されている。
【００７７】
また、インクジェットプリンタ１の筐体３１内には、記録用紙２を搬送路（図中の破線）に沿って案内するための複数のガイド２２が形成されている。
【００７８】
次に、図２を用いて、本発明にかかるインクジェットプリンタ１の制御系の構成を説明する。図２はインクジェットプリンタ１における、記録用紙２に対して画像を形成する制御装置６１のブロック図である。
【００７９】
この制御装置６１は、使用者が操作パネル８４を操作し、パネルインターフェース８５から入出力されるデータに基づき、記録用紙２の搬送を制御したり、記録用紙２への画像の印字条件を制御したりするものであり、ＣＰＵ６２、ＲＯＭ６３、ＲＡＭ６４を中心とするマイクロコンピュータとして構成され、ＡＳＩＣ６５（Ａｐｐｌｉｃａｔｉｏｎ  Ｓｐｅｃｉｆｉｃ  Ｉｎｔｅｇｒａｔｅｄ  Ｃｉｒｃｕｉｔ）に接続されている。また、この制御装置６１は上記の動作以外にもこのインクジェットプリンタ１全体の動作を制御することは言うまでもない。
【００８０】
図２において、制御装置６１は、画像情報の処理やインクジェットプリンタ１の各部を制御したりするＣＰＵ６２と、ＣＰＵ６２による制御に必要なプログラムやパラメータなどを記憶しておくためのＲＯＭ６３および画像情報や種々のデータを記憶するＲＡＭ６４と、ＡＳＩＣ６５とが、バス６６を介して接続されて構成されている。
【００８１】
ＡＳＩＣ６５には、画像情報に応じて発生させた駆動信号に応じて印字ヘッド８の圧電変換素子４２ａを駆動するためのヘッド制御部６７、キャリッジモータ８０および搬送モータ８１などの各種モータを駆動するためのモータ制御部６８、記録用紙２の種類を検知するための反射光学センサ２１ａ、２１ｂ、外部のパソコン等と画像情報の入出力を行うためのインターフェース（Ｉ／Ｆ）８６、印字ヘッド８の主走査方向の移動に従いパルス信号を出力するリニアエンコーダ１５、記録用紙２の画像形成面に送風する送風機１９の駆動動作を制御する送風制御部６９、搬送路切換アクチュエータ８３を駆動するためのアクチュエータ制御部７０などが接続されている。
【００８２】
また、本発明における記録媒体の種類を検出する検出手段は、反射型光学センサ２１ａ、２１ｂによって、その機能が発現される。
【００８３】
また、本発明における送風手段は、送風機１９と送風制御部６９によって、その機能が発現される。図１においては、送風機１９は固定配置されているが、図示しない首振り機構を設けて、印字ヘッド８により画像の形成された記録用紙２の面を広範囲にわたって乾かすようにしてもよい。首振りの方向は記録用紙２の搬送方向に対して直交する方向でも平行な方向でもよい。送風機１９が記録用紙２と略同一の幅を備えている場合には、記録用紙２の搬送方向と平行な方向にのみ首振りを行えばよい。
【００８４】
また、ＡＳＩＣ６５は、周知のゲートアレイとして構成され、その内部には、画像情報に基づいて、印字ヘッド８の各ノズルからインクを吐出させる圧電変換素子４２ａを駆動するための駆動信号を発生する駆動信号発生回路と、この駆動信号に基づいて印字ヘッド８から噴射吐出されるインク滴の吐出数を計数するドロップカウンタ６５ａとが設けられている。このドロップカウンタ６５ａは、リニアエンコーダ１５からのパルス信号に基づいて所定のタイミングでその機能をＯＮ／ＯＦＦするための制御信号を受け付けるように構成されている。更に、ＡＳＩＣ６５には、図示しない外部のＰＣ（パソコン）や画像読取装置からインターフェース８６を介して送信されてくるプリンドデータを解析して、インクを記録用紙２上に吐出する前にインクの吐出数を計数するカウンタ６５ｂも設けられている。更に、印字ヘッド８の所定のノズルに対応した駆動信号のみを選択的に計数するための計数ＯＮ／ＯＦＦスイッチも内蔵しており、外部から（ＣＰＵ６２によって）設定できる。
【００８５】
また、ＡＳＩＣ６５には、ＣＰＵ６２からの指示に応じて、ＲＡＭ６４内の所定領域に記録用紙２の一方の面に記録されるべき画像情報、即ち１頁分に対して記憶された画像情報を、先頭から読み出したり、その反対に最後から読み出したりして、画像情報を走査方向に応じた適切な並びに変換する画像情報変換回路が設けられている。この画像情報変換回路は、更に詳しく説明すれば、ＣＰＵ６２が、走査に応じて、ＲＡＭ６４内に走査毎に対応するように記憶した画像情報の格納位置（アドレス）とその量（通常は一定量）と読み出し方向を指定する情報をＡＳＩＣ６５に対して入力すると、ＡＳＩＣ６５が内蔵しているＤＭＡ（ダイレクトメモリアクセス）機能によってＲＡＭ６４の所定領域からＣＰＵ６２の指示に応じて画像情報を読み出し、変換してから印字ヘッド８の駆動信号発生回路に出力する。そして、ＡＳＩＣ６５は、操作パネル８４及びパネルインターフェース８５を介して入力された操作情報、画像情報、リニアエンコーダ１５から入力されたパルス信号等に基づき、ＣＰＵ６２が実行する処理に従い、ヘッド制御部６７、モータ制御部６８、反射型光学センサ２１ａ、２１ｂ、送風機制御部６９、アクチュエータ制御部７０、ヒータ制御部６９などを制御する。
【００８６】
ここで、画像情報とは、ドットのＯＮ／ＯＦＦ情報としてのビットマップデータを示すものであり、インターフェース８６を介して外部のパソコン等より直接この形態の印字データが送信される場合もあるが、ページ記述言語等で記述された印刷データを受信してその印刷データを解析して、ＣＰＵ６２がドットのＯＮ／ＯＦＦ情報として作成するものもある。何れの場合も、画像情報は、ＣＰＵ６２によって、色毎にヘッドの走査に対応した形態でＲＡＭ６４内の所定領域に記憶され、選択的に読み出すことが可能となっている。
【００８７】
また、操作パネル８４は、インクの吐出数を計数する領域を指定するための操作キーを備えている。即ち、操作パネル８４によって、印字ヘッド８から吐出されるインクの吐出数を計数する領域を、頁毎に指定したり、印字ヘッド８の主走査方向の１動作毎に指定したり、印字動作中の印字時間で指定したり、印字ヘッド８の移動量で指定したりすることで切換えられる。そして、本発明における領域指定手段は、操作パネル８４によって、その機能が発現される。
【００８８】
また、操作パネル８４には、例えば、両面記録専用紙、普通記録用紙などの記録用紙２の種類を入力する操作キーが備えられている。そして、本発明における記録媒体種類入力手段は、操作パネル８４によって、その機能が発現される。
【００８９】
また、操作パネル８４には、記録用紙２が、インクの吸収速度が遅い種類の記録用紙２の場合には、記録用紙２の第一面に印字した後に第二面に記録するまでの開始時間を遅らせることができるように、その開始時間の操作キーが備えられている。そして、本発明における印字遅延手段は、操作パネル８４によって、その機能が発現される。
【００９０】
また、上述した通り、外部のパソコン等によりパネルインターフェース８６を介して記録用紙２の種類を示す識別情報を受信することもできる。そして、本発明における受信手段は、インターフェース８６によって、その機能が発現される。
【００９１】
また、操作パネルに８４によって入力された記録用紙２の種類を示す信号や、反射型光学センサ２１ａ、２１ｂによって検出された記録用紙２の種類を示す信号は、ＡＳＩＣ６５を介してＣＰＵ６２に送られ、これら信号に基づいてＣＰＵ６２が記録動作を制御する。
【００９２】
そして、本発明における記録用紙２の種類を認識する認識手段は、ＣＰＵ６２、ＲＯＭ６３、ＲＡＭ６４を中心とする制御装置６１によって、その機能が発現される。
【００９３】
また、ＲＯＭ６３には、ＣＰＵ６２が記録用紙２への記録動作を制御するプログラムとともに、記録用紙２への両面記録の可否を判断するプログラムが備えられている。
【００９４】
次に、インクジェットプリンタ１の記録動作の処理手順を図３に従って説明する。尚、フローチャート中の「Ｓ」はステップを表す。また、次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙２の種類を操作パネル８４を操作して事前に設定しているものとする。また、図３の処理手順は、印字前に２頁分の印字データに関し、各頁毎にインクの吐出数をカウントし、両面記録の可否を判断して印字を行うものである。
【００９５】
この記録用紙２への記録動作の処理手順は、ユーザが、インクジェットプリンタ１に記録用紙２への記録を指示したときに図３のフローチャートに示す制御手順がスタートする。
【００９６】
まず、Ｓ１１０において、ＲＡＭ６４内に記憶された情報を読み取って、ユーザにより予め設定された記録モードが両面記録モードであるか否かを判断する。
【００９７】
次いで、Ｓ１１０で両面記録モードでない（ＮＯ）場合には、記録用紙２の第二面（裏面）への印字が不要なのでＳ１２０に進み、ＲＡＭ６４から画像情報を読み出し、ＲＡＭ６４内に１頁分の画像情報、即ち、記録用紙の第一面に印字する印字データが蓄積されたか否かを判断する。Ｓ１２０において１頁分の印字データが蓄積されている（Ｙｅｓ）場合には、Ｓ１３０に進み、一方、Ｓ１２０において１頁分の印字データが蓄積されていない（Ｎｏ）場合には、１頁分の印字データがインターフェース（Ｉ／Ｆ）８６を経て外部のパソコン（図示せず）や画像読取装置（図示せず）からＲＡＭ６４に蓄積されるまで待機し、ＲＡＭ６４に蓄積された後にＳ１３０に進む。次いで、給紙ローラ４を駆動することで給紙トレイ３に積載された記録用紙２を、インクジェットプリンタ１の筐体３１内に１枚給紙する。次いで、Ｓ１４０において、ヘッド制御部６７とモータ制御部６８を制御し、記録用紙２を副走査方向に所定ピッチで搬送するとともに、印字ヘッド８を主走査方向に移動させつつ、印字ヘッド８を介して記録用紙２の上面に向けてインクを吐出し、１頁分の印字を行う。次いで、Ｓ１５０において、記録用紙２を、搬送路Ｆを経て排出トレイ２０へ排出する。次いで、１６０において、ＲＡＭ６４の画像情報に基づき全頁の印字を終えたか否かを判断する。Ｓ１６０において全頁の印字を終えている（Ｙｅｓ）場合には、ＣＰＵ６２による記録動作の制御手順が終了する。Ｓ１６０で全頁の画像形成を終えていない（Ｎｏ）場合には、再びＳ１２０に戻り、Ｓ１２０〜Ｓ１６０を繰り返し、Ｓ１６０でＹｅｓになったときに、ＣＰＵ６２による記録動作の制御手順が終了する。
【００９８】
次に、前述のＳ１１０において、両面記録モードである（Ｙｅｓ）場合には、Ｓ１７０に進み、ＡＳＩＣ６５内のカウンタ６５ｂをリセットする。つまり、カウンタ６５ｂが記憶しているインクの吐出数（以前に計数されたインクの吐出数）を初期化する。
【００９９】
次いで、Ｓ１８０において、１頁目で印字データが終了する際には１頁分の印字データがＲＡＭ６４内に蓄積されているか否か、又は、２頁分の印字データが蓄積されているか否かを判断する。Ｓ１８０においてＲＡＭ６４内に１頁目で印字データが終了する際の１頁分の印字データ、又は２頁分の印字データが蓄積されていない（Ｎｏ）の場合には、印字データがインターフェース（Ｉ／Ｆ）８６を経て外部のパソコン（図示せず）や画像読取装置（図示せず）からＲＡＭ６４に蓄積されるまで待機し、ＲＡＭ６４に蓄積された場合にはＳ１９０に進む。
【０１００】
次いで、Ｓ１９０において、各頁毎に記録用紙２の面上に印字するために必要なインクの吐出数を、ＲＡＭ６４内の所定領域に記憶された印字データ（ドットのＯＮ／ＯＦＦ情報）を読み出して計数する。本発明における計数手段は、Ｓ１９０によって、その機能が発現される。
【０１０１】
次いで、Ｓ２００において、Ｓ１９０で計数された各頁毎のインクの吐出数が予め定められた所定値に対して越えているか否かを比較する。１頁目で印字データが終了する際にはその１頁分のインクの吐出数が所定値と比較されることは言うまでもない。本発明における比較手段は、Ｓ２００によって、その機能が発現される。
【０１０２】
次いで、各頁毎又は１頁分のインクの吐出数が所定値を越えていない（Ｎｏ）場合には、Ｓ２１０に進み、１頁でもインクの吐出数が所定値を越えたときにはＳ３１０（Ｙｅｓ）へ進む。つまり、記録用紙２の第二面（裏面）に画像を形成するにあたり、Ｓ２００において比較した吐出数が、予め両面記録の可否を判定するために定められた所定値を越えていない場合には両面への記録が可能と選択されＳ２１０に進み、一方、吐出数が所定値を越えている場合には両面への記録が不可と選択されＳ３１０に進むことになる。本発明における選択手段は、Ｓ２００によって、その機能が発現される。尚、この際、２頁分の印字データがあって、２頁それぞれのインクの吐出数が所定値以下のときにはＳ２１０（Ｎｏ）へ進み、２頁それぞれのインクの吐出数のうちいずれか一方のインクの吐出数でも所定値を越えたときにはＳ３１０（Ｙｅｓ）へ進む。尚、１頁分で印字データが終了する際には、この１頁のインクの吐出数が所定値を越えたときはＳ３１０（Ｙｅｓ）へ進み、越えていないときはＳ２１０（Ｎｏ）へ進む。しかしながら、１頁分で印字データが終了する際には裏面に印字は行われないので、Ｓ１８０で１頁分で印字データが終了すると判断されたなら、即Ｓ１３０又はＳ２２０へ進むようにフローチャートを構成してもよい。
【０１０３】
次いで、Ｓ２１０において、ＲＡＭ６４から画像情報を読み出し、２頁分の画像情報、即ち、印字データが有るか又は１頁分で印字データが終了するかを判断する。Ｓ２１０において１頁分で印字データが終了する（Ｎｏ）と判断された場合には、Ｓ２２０に進み、給紙トレイ３に積載された記録用紙２を、インクジェットプリンタの筐体３１内に１枚給紙する。次いで、Ｓ２３０において、ヘッド制御部６７とモータ制御部６８を制御し、記録用紙２を副走査方向に所定ピッチで搬送するとともに、印字ヘッド８を主走査方向に移動させつつ、印字ヘッド８を介して記録用紙２の面上に向けてインクを吐出し、記録用紙の第一面に１頁分の印字を行う。次いで、Ｓ２４０で、記録用紙２を、搬送路Ｆを経て排出トレイ２０へ排出し、その後、ＣＰＵ６２による記録動作の制御手順が終了する。Ｓ２１０〜Ｓ２４０では、２頁分のデータが無く１頁分の印字データが最終頁であるので、記録用紙２を排出後に終了する。
【０１０４】
一方、Ｓ２１０において２頁分の印字データが有る（Ｙｅｓ）と判断された場合には、Ｓ２５０に進み、給紙トレイ３に積載された記録用紙２を、インクジェットプリンタの筐体３１内に１枚給紙する。次いで、Ｓ２６０において、ヘッド制御部６７とモータ制御部６８を制御し、記録用紙２を副走査方向に所定ピッチで搬送するとともに、印字ヘッド８を主走査方向に移動させつつ、印字ヘッド８を介して記録用紙２の面上に向けてインクを吐出し、記録用紙２の面上に奇数頁である（所謂、第一面である）１頁分の印字を行う。次いで、Ｓ２７０において、記録用紙２を、インクジェットプリンタの筐体３１内の搬送路Ｇ、Ｈを経て反転させ、再度記録位置Ｐに搬送する。次いで、Ｓ２８０において、印字ヘッド８を介して記録用紙２の面上に向けてインクを吐出し、偶数頁である（所謂、第二面である）１頁分の印字を行う。次いで、Ｓ２９０において、記録用紙２を、インクジェットプリンタの筐体３１内の搬送路Ｇ、Ｈを経て反転させ、続いて、Ｓ３００において、インクジェットプリンタの筐体３１内の搬送路Ｆを経て排出トレイ２０に奇数頁が下面を向くように排出する。次いで、Ｓ３９０において、全頁の印字を終えているか否かを判断する。Ｓ３９０において全頁の印字を終えている（Ｙｅｓ）場合には、ＣＰＵ６２による記録動作の制御手順が終了する。Ｓ３９０において全頁の印字を終えていないＮｏの場合にはＳ１７０に戻る。
【０１０５】
一方、ステップ２００において、１頁でも１インクの吐出数が所定値を越えている（Ｙｅｓ）場合には、Ｓ３１０に進む。
【０１０６】
次いで、Ｓ３１０において、記録用紙２が両面記録専用紙であるか否かを判断する。上述した通り、ユーザが記録用紙２の種類を事前に設定したり、インターフェース８６を介してＰＣ等から記録用紙２の種類に関する情報を得ているので、その旨を記憶しているＲＡＭ６４を参照することで記録用紙２の種類を判断できるのである。Ｓ３１０において記録用紙２が両面記録専用紙であるＹｅｓの場合には、Ｓ２１０に進み、前述のＳ２１０〜Ｓ３００の手順を行う。つまり、Ｓ３１０において、記録用紙２が両面記録専用紙であると判断されると、Ｓ２００において両面への印字が不可と選択された結果が無効にされ、記録用紙２の両面に印字を行う手順が行われる。本発明における無効手段は、Ｓ３１０によって、その機能が発現される。
【０１０７】
Ｓ３１０において、記録用紙２が両面記録専用紙でない（Ｎｏ）場合には、Ｓ３２０に進む。次いで、Ｓ３２０において、２頁分の印字データが有るか否かを判断する。Ｓ３２０において、２頁分の印字データが無い（Ｎｏ）場合、即ち１頁目で印字データが終了する場合には、前述のＳ２２０に進みＳ２２０〜Ｓ２４０の手順を行った後に、ＣＰＵ６２による記録動作の制御手順が終了する。
【０１０８】
一方、Ｓ３２０で２頁分の印字データが有る（Ｙｅｓ）場合には、Ｓ３３０に進み、給紙トレイ３に積載された記録用紙２を、インクジェットプリンタ１の筐体３１内に１枚給紙する。次いで、３４０において、ヘッド制御部６７とモータ制御部６８を制御し、記録用紙２を副走査方向に所定ピッチで搬送するとともに、印字ヘッド８を主走査方向に移動させつつ、印字ヘッド８を介して記録用紙２の面上に向けてインクを吐出し、記録用紙２の面上に奇数頁である１頁分の印字を行う。次いで、Ｓ３５０において、記録用紙２を、インクジェットプリンタの筐体３１内の搬送路Ｆを経て排出トレイ２０へ排出する。次いで、Ｓ３６０において、給紙トレイ３に積載された記録用紙２を、インクジェットプリンタの筐体３１内に１枚給紙する。次いで、Ｓ３７０において、Ｓ３４０と同様の動作で記録用紙２の面上に偶数頁である１頁分の印字を行う。次いで、Ｓ３８０において、記録用紙２を、インクジェットプリンタの筐体３１内の搬送路Ｆを経て排出トレイ２０に排出する。
【０１０９】
次いで、Ｓ３９０において、全頁の印字を終えているか否かを判断する。Ｓ３９０において全頁の印字を終えている（Ｙｅｓ）場合には、ＣＰＵ６２による記録動作の制御手順が終了する。一方、Ｓ３９０において全頁の印字を終えていない（Ｎｏ）場合にはＳ１７０に戻る。
【０１１０】
本発明の実施形態１によれば、図３に表したように、Ｓ１９０のステップにおいて、記録用紙２の各頁毎に吐出されるインクの吐出数を、印字ヘッド８が記録用紙２にインクを吐出する前に予め計数し、Ｓ２００において、計数された吐出数と予め定められた所定値とを比較し、両面記録の可否を判断するので、記録用紙２の両面にインクを吐出して画像を形成したときに画像を損なうことがなく、品質の良好な画像を得ることができる。また、種々の画像に対して、的確に裏写りの有無を判定し、両面記録の可否を効果的に判断できる。
【０１１１】
また、Ｓ３１０において、記録用紙２の種類が両面記録専用紙であるか否かを判断し、両面記録専用紙である場合にはＳ２００において「両面記録は不可」と判断された結果を無効にし、両面への印字を可能にしているので、記録用紙２の種類に合わせ、記録用紙２の両面に品質の良好な画像を効率良く形成できる。
【０１１２】
また、インクの吐出数を計数する所定領域として、記録用紙２の面１頁分を指定しているので、複数毎の記録用紙２に連続して画像形成する際に、それぞれ印字された画像品質にバラツキがなく、品質の良好な画像が得られる。
【０１１３】
（実施の形態２）
次に、図４のフローチャートを用い、実施の形態２における、記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙の種類を操作パネル８４を操作して事前に設定しているものとする。また、図４の処理手順は、印字前に２頁分の印字データに関し、各頁毎にインクの吐出数をカウントし、両面記録の可否を判断して印字を行うものである。また、実施の形態２は、主な手順が実施の形態１の図３に表したフローチャートと共通するので、その共通する部分については、詳細な説明を省き、特徴となる部分を、以下に説明する。
【０１１４】
この記録用紙２への記録動作の処理手順は、ユーザが、インクジェットプリンタ１に記録用紙２への記録を指示したときに図４のフローチャートに示す制御手順がスタートする。
【０１１５】
まず、Ｓ１１０において、ユーザにより予め設定された記録モードが両面記録モードであるか否かを判断する。
【０１１６】
次いで、Ｓ１１０において両面記録モードでない（Ｎｏ）場合には、記録用紙２の第二面（裏面）への印字が不要なので、実施の形態１と同じくＳ１２０に進みＳ１２０〜Ｓ１６０の手順を行い、Ｓ１６０においてＹｅｓになったときに、ＣＰＵ６２による記録動作の制御手順が終了する。
【０１１７】
次に、Ｓ１１０において、両面記録モードである（Ｙｅｓ）場合には、Ｓ１７０に進み、ＡＳＩＣ内のカウンタ６５ｂをリセットする。次いでＳ１８０において、１頁目で印字データが終了する際には１頁分の印字データがＲＡＭ６４内に蓄積されているか否か、又は、２頁分の印字データが蓄積されているか否かを判断する。Ｓ１８０においてＲＡＭ６４内に１頁目で印字データが終了する際の１頁分の印字データ、又は２頁分の印字データが蓄積されていない（Ｎｏ）の場合には、印字データがインターフェース（Ｉ／Ｆ）８６を経て外部のパソコンや画像読取装置からＲＡＭ６４に入力されるまで待機し、蓄積された場合にはＳ１８５に進む。
【０１１８】
次いで、Ｓ１８５において、記録用紙２が両面記録専用紙であるか否かを判断する。実施の形態１と異なり、Ｓ１８０の後すぐに記録用紙２の種類が判断されるのである。記録用紙２が両面記録専用紙である（Ｙｅｓ）場合には、実施の形態１と同じくＳ２１０に進みＳ２１０〜Ｓ３００の手順を行う。つまり、記録用紙２の両面に印字するにあたり、Ｓ１８５において、記録用紙２が両面記録専用紙であると判断されたなら、インクの吐出数を計数することなく、両面への印字が可能と選択され、Ｓ２１０に進む。本発明における計数停止手段は、Ｓ１８５によって、その機能が発現される。
【０１１９】
一方、Ｓ１８５において記録用紙２が両面記録専用紙でない（Ｎｏ）場合には、Ｓ１９０に進み、各頁毎に記録用紙２の面上に印字するために必要なインクの吐出数を、ＲＡＭ６４内の所定領域に記憶された印字データ（ドットのＯＮ／ＯＦＦ情報）を読み出して計数する。１頁目の印字データで終了する場合にはその１頁分のインクの吐出数が計数される。次いで、Ｓ２００において、Ｓ１９０で計数されたインクの吐出数が予め定められた所定値に対して越えているか否かを比較する。
【０１２０】
次いで、Ｓ２００において１頁もインクの吐出数が所定値を越えていない（Ｎｏ）場合には、実施の形態１と同じくＳ２１０に進みＳ２１０〜Ｓ３００の手順を行う。
【０１２１】
一方、Ｓ２００において、１頁でもインクの吐出数が所定値を越えている（Ｙｅｓ）場合には、実施の形態１と同じくＳ３２０に進みＳ３２０〜Ｓ３９０の手順を行う。
【０１２２】
本発明の実施形態２によれば、図４に表したように、Ｓ１８０の後、Ｓ１８５において記録用紙２の種類が両面記録専用紙であるか否かをまず判断し、両面記録専用紙であればインクの吐出数に関わらず両面記録を行うことができるものとしてＳ２１０に進み、記録用紙２へのインクの吐出数を計数することなく両面記録を可能にしているので、記録用紙２の種類に合わせて記録用紙２の両面に良好な画像を得ることができるとともにインクの吐出数を計数するための手間と時間を低減させることができる。
【０１２３】
また、記録用紙２の種類が両面記録専用紙でない場合には、Ｓ１９０において記録用紙２の各頁毎に吐出されるインクの吐出数を計数し、吐出数と予め定められた所定値と比較し、両面記録の可否を判断するので、記録用紙２の両面にインクを吐出して画像を形成したときに画像を損なうことがなく、品質の良好な画像を得ることができる。（実施の形態３）
次に、図５のフローチャートを用い、実施の形態３における記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙の種類を操作パネル８４を操作して事前に設定しているものとする。上述した実施の形態１（図３参照）は、両面記録モードが設定されている場合に２頁分の印字データがあるときには、記録用紙２への印字前に２頁分の印字データに関し、各頁毎にインクの吐出数を計数し、両面記録の可否を判断して印字を行ったが、本実施の形態３においては、記録用紙２への印字前に１頁分の印字データに関してのみインクの吐出数を計数し、両面記録の可否を判断して印字を行うものである。また、実施の形態３は、主な手順が実施の形態１の図３に表したフローチャートと共通するので、その共通する部分については、詳細な説明を省き、特徴となる部分を、以下に説明する。
【０１２４】
この記録用紙２への記録動作の処理手順は、ユーザが、インクジェットプリンタ１に記録用紙２への記録を指示したときに図５のフローチャートに示す制御手順がスタートする。
【０１２５】
まず、Ｓ１１０において、ユーザにより予め設定された記録モードが両面記録モードであるか否かを判断する。
【０１２６】
両面記録モードでない（ＮＯ）と判断された場合には、記録用紙２の第二面（裏面）への印字が不要なので、実施の形態１と同じくＳ１２０に進み、Ｓ１２０以降の手順を行う。
【０１２７】
一方、Ｓ１１０において、両面記録モードである（Ｙｅｓ）と判断された場合には、Ｓ１６５に進み、ＲＡＭ６４の反転フラグが記憶領域６４ａに記憶されている反転フラグをリセットする。つまり、記録用紙２を反転させるとき参照される反転フラグをＯＦＦ状態にする。次いで、Ｓ１７０において、ＡＳＩＣ６５内のカウンタ６５ｂをリセットする。
【０１２８】
次いで、Ｓ４００において、ＲＡＭ６４から画像情報を読み出し、ＲＡＭ６４内に１頁分の画像情報、即ち、印字データが蓄積されたか否かを判断する。Ｓ４００において１頁分の印字データが蓄積されている（Ｙｅｓ）場合には、Ｓ４１０に進み、Ｓ４００において１頁分の印字データが蓄積されていない（Ｎｏ）場合には、１頁分の印字データがインターフェース（Ｉ／Ｆ）８６を経て外部のパソコン（図示せず）や画像読取装置（図示せず）からＲＡＭ６４に入力されるまで待機し、蓄積された後にＳ４１０に進む。
【０１２９】
次いで、Ｓ４１０において、記録用紙２の面上に印字するために必要なインクの吐出数を、ＲＡＭ６４内の所定領域に記憶された１頁分の印字データ（ドットのＯＮ／ＯＦＦ情報）を読み出して、カウンタ６５ｂで計数する。本発明における計数手段は、Ｓ４１０によって、その機能が発現される。
【０１３０】
次いで、Ｓ４２０において、Ｓ４１０で計数されたインクの吐出数が予め定められた所定値に対して越えているか否かを比較する。本発明における比較手段は、Ｓ４２０によって、その機能が発現される。
【０１３１】
次いで、Ｓ４２０においてインクの吐出数が所定値を越えていない（Ｎｏ）場合には、Ｓ４３０に進み、インクの吐出数が所定値を越えた（Ｙｅｓ）場合にはＳ５５０（Ｙｅｓ）へ進む。つまり、記録用紙２の第二面（裏面）に画像を形成するにあたり、Ｓ４２０で比較した吐出数が、予め両面記録の可否を判断するために定められた所定値を越えている場合には両面への記録が不可と判断されてＳ５５０に進み、一方、Ｓ４２０で比較した吐出数が、所定値を越えていない場合には両面への記録が可能と判断されてＳ４３０に進むことになる。本発明における判断手段は、Ｓ４２０によって、その機能が発現される。
【０１３２】
次いで、Ｓ４２０においてインクの吐出数が所定値を越えていない（Ｎｏ）場合には、Ｓ４３０に進み、ＲＡＭ６４内の反転フラグ記憶領域６４ａを参照して反転フラグがＯＮ状態であるか否かを判断する。尚、本実施例では、１頁目の印字（所謂、記録用紙の第一面への印字である）においては、反転フラグがＳ１６５においてリセットされ、ＯＦＦの状態にある。即ち、記録用紙２の第一面に印字する際には反転フラグはＯＦＦ状態であり、記録用紙２の第二面に印字する際には反転フラグはＯＮ状態となっている。
【０１３３】
次いで、Ｓ４３０において、反転フラグがＯＮ状態となっている（Ｙｅｓ）場合には、記録用紙２の第一面は既に印字が終了していることを意味するので、記録用紙２の第二面に印字するために、Ｓ４４０に進み、記録用紙２を、インクジェットプリンタの筐体３１内の搬送路Ｇ、Ｈを経て反転させ、再度記録位置Ｐに搬送する。次いで、Ｓ４５０において、印字ヘッド８を介して記録用紙２の面上に向けてインクを吐出し、記録用紙２の第二面に１頁分の印字を行う。次いで、Ｓ４６０において、記録用紙２を、インクジェットプリンタの筐体３１内の搬送路Ｇ、Ｈを経て再度反転させ、続いて、Ｓ４７０において、インクジェットプリンタの筐体３１内の搬送路Ｆを経て排出トレイ２０に記録用紙２の第一面が下面を向くように排出する。次いで、Ｓ４８０において、反転フラグをＯＦＦ状態にする。次いで、Ｓ４９０において、全頁の印字を終えているか否かを判断する。Ｓ４９０において全頁の印字を終えている（Ｙｅｓ）場合には、ＣＰＵ６２による記録動作の制御手順が終了する。Ｓ４９０において全頁の印字を終えていない（Ｎｏ）場合にはＳ１７０に戻る。
【０１３４】
次に、ステップ４３０において、反転フラグがＯＮ状態となっていない（Ｎｏ）場合には、記録用紙２の第一面はまだ印字が行われていないことを意味するので、記録用紙２の第一面に印字するためにＳ５００に進み、給紙トレイ３に積載された記録用紙２を、インクジェットプリンタの筐体３１内に１枚給紙し、記録位置Ｐに搬送する。次いで、Ｓ５１０において、ヘッド制御部６７とモータ制御部６８を制御し、記録用紙２を副走査方向に搬送するとともに、印字ヘッド８を主走査方向に移動させつつ、記録用紙２に向けてインクを吐出し、記録用紙２の第一面上に１頁分の印字を行い、続いて、Ｓ５２０において、反転フラグ信号をＯＮ状態にする。
【０１３５】
次いで、Ｓ５３０において、全頁の印字を終えているか否かを判断する。Ｓ５３０において全頁の印字を終えている（Ｙｅｓ）と判断された場合には、Ｓ５４０に進み、記録用紙２を、搬送路Ｆを経て排出トレイ２０へと排出し、その後、記録動作の制御手順が終了する。Ｓ５３０において全頁の印字を終えていない（Ｎｏ）場合には記録用紙の第二面上に印字がなされる可能性があるために、Ｓ１７０に戻る。
【０１３６】
一方、Ｓ４２０において、インクの吐出数が所定値を越えている（Ｙｅｓ）場合には、記録用紙２の両面への印字が不可と判断され、Ｓ５５０に進む。
【０１３７】
次いで、Ｓ５５０において、記録用紙２が両面記録専用紙であるか否かが判断される。Ｓ５５０において記録用紙２が両面記録専用紙である（Ｙｅｓ）と判断された場合には、Ｓ４３０に進み、前述のＳ４３０以降の手順を行う。つまり、Ｓ５５０において、記録用紙２が両面記録専用紙であると判断されると、Ｓ４２０において両面への印字が不可と判断された結果が無効にされ、記録用紙２の両面に印字を行う手順が行われる。本発明における無効手段は、Ｓ５５０によって、その機能が発現される。
【０１３８】
一方、Ｓ５５０において、記録用紙２が両面記録専用紙でない（Ｎｏ）と判断された場合には、Ｓ５６０に進み、ＲＡＭ６４の反転フラグ記憶領域６４ａを参照して反転フラグがＯＮ状態であるか否かを判断する。Ｓ５６０において、反転フラグがＯＮ状態ではない（Ｎｏ）場合には、記録用紙２の第一面に印字するためにＳ５００に進み、前述のＳ５００以降の手順を行う。Ｓ５６０において、反転フラグがＯＮ状態である（Ｙｅｓ）場合には、記録用紙２を、インクジェットプリンタの筐体３１内の搬送路Ｆを経て排出トレイ２０に排出する。即ち、Ｓ４２０において両面記録の不可が選択され、且つ、記録用紙２が両面記録専用紙ではないので、記録用紙２の第二面上に印字をしないで記録用紙２を排出するのである。次いで、Ｓ５８０において、反転フラグをＯＦＦ状態にする。次いで、Ｓ５９０において、給紙トレイ３に積載された記録用紙２を、インクジェットプリンタの筐体３１内に１枚給紙し、記録位置Ｐに搬送する。次いで、Ｓ６００において、ヘッド制御部６７とモータ制御部６８を制御し、記録用紙２を副走査方向に搬送するとともに、印字ヘッド８を主走査方向に移動させつつ、記録用紙２の第一面上に向けてインクを吐出して１頁分の印字を行う。次いで、Ｓ６１０において、記録用紙２を、インクジェットプリンタの筐体３１内の搬送路Ｆを経て排出トレイ２０に排出する。次いで、Ｓ６２０において、全頁の印字を終えているか否かを判断する。Ｓ６２０において全頁の印字を終えている（Ｙｅｓ）場合には、記録動作の制御手順が終了する。Ｓ６２０において全頁の印字を終えていない（Ｎｏ）場合にはＳ１７０に戻る。
【０１３９】
本発明の実施形態３によれば、図５に表したように、記録用紙２に印字する前に、Ｓ４１０において記録用紙２の１頁分に吐出されるインクの吐出数を計数し、計数された吐出数と予め定められた所定値と比較し、両面記録の可否を判断するので、記録用紙２の両面にインクを吐出して画像を形成したときに画像を損なうことがなく、品質の良好な画像を得ることができる。
【０１４０】
また、Ｓ５５０において、記録用紙の種類が両面記録専用紙であるか否かを判断し、両面記録専用紙である場合にはＳ４２０において「両面記録は不可」と判断された結果を無効にし、両面への印字を可能にしているので、記録用紙２の種類に応じて、記録用紙２の両面に品質の良好な画像を効率良く形成できる。
【０１４１】
（実施の形態４）
次に、図６のフローチャートを用い、実施の形態４における記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙の種類を操作パネル８４を操作して事前に設定しているものとする。また、図６の処理手順は、印字前に１頁分の印字データに関し、インクの吐出数をカウントし、両面記録の可否を判断して印字を行うものである。また、実施の形態４は、主な手順が実施の形態３の図５に表したフローチャートと共通するので、その共通する部分については、詳細な説明を省き、特徴となる部分を、以下に説明する。
【０１４２】
この記録用紙２への記録動作の処理手順は、ユーザが、インクジェットプリンタ１に記録用紙２への記録を指示したときに図６のフローチャートに示す制御手順がスタートする。
【０１４３】
まず、Ｓ１１０において、ユーザにより予め設定された記録モードが両面記録モードであるか否かを判断する。
【０１４４】
両面記録モードでない（ＮＯ）と判断された場合には、記録用紙２の第二面（裏面）への印字が不要なので、実施の形態３と同じくＳ１２０に進み、Ｓ１２０以降の手順を行う。
【０１４５】
一方、Ｓ１１０において、両面記録モードである（Ｙｅｓ）と判断された場合には、Ｓ１６５に進んで、反転フラグをリセットし、続いて、Ｓ１７０においてＡＳＩＣ６５内のカウンタ６５ｂをリセットする。
【０１４６】
次いで、Ｓ４００において、ＲＡＭ６４から画像情報を読み出し、ＲＡＭ６４内に１頁分の画像情報、即ち、印字データが蓄積されたか否かを判断する。Ｓ４００において１頁分のデータが蓄積されている（Ｙｅｓ）場合には、Ｓ４０５に進み、１頁分の印字データが蓄積されていない（Ｎｏ）場合には、１頁分の印字データがインターフェース（Ｉ／Ｆ）８６を介して図示されない外部のパソコンや画像読取装置からＲＡＭ６４に入力されるまで待機し、蓄積された後にＳ４０５に進む。
【０１４７】
次いで、Ｓ４０５において記録用紙２が両面記録専用紙であるか否かを判断する。実施の形態３と異なり、Ｓ４００の後すぐに記録用紙２の種類が判断されるのである。記録用紙２が両面記録専用紙である（Ｙｅｓ）場合には、実施の形態３と同じくＳ４３０に進み、Ｓ４３０以降の手順を行う。
【０１４８】
一方、記録用紙２が両面記録専用紙でない（Ｎｏ）場合には、Ｓ４１０に移り、記録用紙２の面上に印字するために必要なインクの吐出数を、ＲＡＭ６４内の所定領域に記憶された１頁分の印字データ（ドットのＯＮ／ＯＦＦ情報）を読み出してカウンタ６５ｂで計数する。次いで、Ｓ４２０において、Ｓ４１０で計数されたインクの吐出数が予め定められた所定値に対して越えているか否かを比較する。
【０１４９】
インクの吐出数が所定値を越えていない（Ｎｏ）場合には、実施の形態３と同じくＳ４３０に進み、Ｓ４３０以降の手順を行う。
【０１５０】
一方、Ｓ４２０においてインクの吐出数が所定値を越えている（Ｙｅｓ）場合には、Ｓ５６０に進み、実施の形態３と同じくＳ５６０以降の手順を行う。
【０１５１】
本発明の実施形態４によれば、図６に表したように、Ｓ４０５において記録用紙２の種類が両面記録専用紙であるか否かを判断し、両面記録専用紙であればインクの吐出数に関わらず両面記録を行うことができるものとしてＳ４３０に進み、記録用紙２へのインクの吐出数を計数することなく、両面記録を可能にしているので、記録用紙２の種類に合わせて記録用紙の両面に良好な画像を得ることができるとともにインクの吐出数を計数するための負荷を低減させることができる。
【０１５２】
また、記録用紙２の種類が両面記録専用紙でない場合には、Ｓ４２０において記録用紙２の１頁分に吐出されるインクの吐出数を計数し、吐出数と予め定められた所定値と比較し、両面記録の可否を判断するので、記録用紙２の両面にインクを吐出して画像を形成したときに画像を損なうことがなく、品質の良好な画像を得ることができる。
【０１５３】
（実施の形態５）
次に、図７のフローチャートを用い、実施の形態５における記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙２の種類を操作パネル８４を操作して事前に設定しているものとする。また、本実施の形態５における図７の処理手順は、記録用紙の第一面に印字中、或いは印字後に、第一面に吐出したインクの吐出数を計数して第二面への印字の可否、即ち両面記録の可否を判断し、印字を行うものである。更には、第二面に印字を行う前に、第二面に吐出される予定のインクの吐出数を予め計数して第二面への印字の可否、即ち両面記録の可否を判断し、印字を行うものである。また、実施の形態５は、主な手順が実施の形態１の図３に表したフローチャートと共通するので、その共通する部分については、詳細な説明を省き、特徴となる部分を、以下に説明する。
【０１５４】
この記録用紙２への記録動作の処理手順は、ユーザが、インクジェットプリンタ１に記録用紙２への記録を指示したときに図７のフローチャートに示す制御手順がスタートする。
【０１５５】
まず、Ｓ１１０において、ユーザにより予め設定された記録モードが両面記録モードであるか否かを判断する。
【０１５６】
両面記録モードでない（ＮＯ）と判断された場合には、記録用紙２の第二面（裏面）への印字が不要なので、実施の形態１と同じくＳ１２０に進み、Ｓ１２０以降の手順を行う。
【０１５７】
一方、Ｓ１１０において、両面記録モードである（Ｙｅｓ）と判断された場合には、Ｓ１７０に進み、ＡＳＩＣ内のドロップカウンタ６５ａ及びカウンタ６５ｂをリセットする。つまり、以前に計数されたインクの吐出数をリセットする。
【０１５８】
次いで、Ｓ４００において、ＲＡＭ６４から画像情報を読み出し、ＲＡＭ６４内に１頁分の画像情報、即ち、印字データが蓄積されたか否かを判断する。１頁分の印字データが蓄積されている（Ｙｅｓ）場合にはＳ７００に進み、１頁分の印字データが蓄積されていない（Ｎｏ）場合には、１頁分のデータがインターフェース（Ｉ／Ｆ）８６を介して外部のパソコン（図示せず）や画像読取装置（図示せず）からＲＡＭ６４に蓄積されるまで待機し、蓄積された後にＳ７００に進む。
【０１５９】
次いで、Ｓ７００において、ＲＡＭ６４内に蓄積された１頁分の印字データが最終頁の印字データであるか否かを判断する。その印字データが最終頁の印字データである（Ｙｅｓ）と判断された場合には、Ｓ８６０に進み、給紙トレイ３に積載された記録用紙２を、インクジェットプリンタ１の筐体３１内に１枚給紙する。次いで、Ｓ８７０において、ヘッド制御部６７とモータ制御部６８を制御して、記録用紙の第一面に最終頁である１頁分の印字を行う。次いで、Ｓ８８０において、記録用紙２を、インクジェットプリンタの筐体３１内の搬送路Ｆを経て排出トレイ２０へ排出して、この制御手順を終了する。
【０１６０】
一方、Ｓ７００において最終頁でない（Ｎｏ）と判断された場合には、Ｓ７１０に進み、給紙トレイ３に積載された記録用紙２を、インクジェットプリンタ１の筐体３１内に１枚給紙する。
【０１６１】
次いで、Ｓ７２０において、記録用紙２の第一面上に１頁分の印字を行いつつインクの吐出数をドロップカウンタ６５ａで計数する。つまり、印字ヘッド８を介して記録用紙２の上面に向けてインクを吐出して１頁分の印字を行うとともに、ＡＳＩＣ６５によって印字ヘッド８に入力されるインクの吐出信号の数に基づいて、印字ヘッド８から吐出されるインクの吐出数をドロップカウンタ６５ａによって計数するのである。本発明における計数手段は、Ｓ７２０によって、その機能が発現される。
【０１６２】
次いで、Ｓ７３０において、ドロップカウンタ６５ａにより計数されたインクの吐出数が予め定められた所定値を越えているか否かを比較する。本発明における比較手段は、Ｓ７３０によって、その機能が発現される。
【０１６３】
インクの吐出数が所定値を越えていない（Ｎｏ）場合には、Ｓ７４０に進み、インクの吐出数が所定値を越えている（Ｙｅｓ）場合にはＳ８９０（Ｙｅｓ）へ進む。つまり、記録用紙２の第二面（裏面）に画像を形成するにあたり、記録用紙２の第一面（表面）に吐出されたインクの吐出数が予め両面記録の可否を判断するために定められた所定値を越えている場合には、両面への記録が不可と判断されてＳ８９０に進み、一方、記録用紙２の第一面（表面）に吐出されたインクの吐出数が所定値を越えていない場合には、両面への記録が可能と判断されてＳ７４０に進むことになる。本発明における判断手段は、Ｓ７３０によって、その機能が発現される。
【０１６４】
Ｓ７３０において記録用紙２の第一面（表面）に吐出されたインクの吐出数が所定値を越えていない（Ｎｏ）場合には、Ｓ７４０に進み、次頁の１頁分の印字データがＲＡＭ６４内に蓄積されているか否かを判断する。次頁（第２面）の１頁分の印字データが蓄積されていない（Ｎｏ）場合には、次頁の１頁分のデータがインターフェース（Ｉ／Ｆ）８６を介して図示しない外部のパソコンや画像読取装置からＲＡＭ６４に入力されるまで待機し、次頁の１頁分の印字データが蓄積された場合（Ｙｅｓ）にはＳ７５０に進む。
【０１６５】
Ｓ７５０において、記録用紙２の第二面上に印字するために必要なインクの吐出数を、ＲＡＭ６４内の所定領域に記憶された次頁１頁分の印字データ（ドットのＯＮ／ＯＦＦ情報）を読み出してカウンタ６５ｂによって計数する。本発明における第二面計数手段は、Ｓ７５０によって、その機能が発現される。
【０１６６】
次いで、Ｓ７６０において、Ｓ７５０で計数された、記録用紙２の第二面（裏面）に吐出されるべきインクの吐出数が予め定められた所定値を越えているか否かを比較する。インクの吐出数が所定値を越えている（Ｙｅｓ）場合には、記録用紙２の第二面への記録の不可が判断され、Ｓ７７０に進む。即ち、Ｓ７３０によって両面記録可能と判断されたものの、Ｓ７６０によって、キャンセルされることになる。本発明におけるキャンセル手段は、Ｓ７６０によって、その機能が発現される。
【０１６７】
次いで、Ｓ７７０において、記録用紙２が両面記録専用紙であるか否かが判断される。Ｓ７７０において記録用紙２が両面記録専用紙でない（Ｎｏ）と判断された場合には、Ｓ７８０に移り、記録用紙２を、インクジェットプリンタ１の筐体３１内の搬送路Ｆを経て排出トレイ２０へ排出する。次いで、Ｓ７９０において、給紙トレイ３に積載された記録用紙２を、インクジェットプリンタ１の筐体３１内に１枚給紙する。次いで、Ｓ８００において、ヘッド制御部６７とモータ制御部６８を制御して、次頁の１頁分の印字データに基づいて記録用紙２に印字を行い、更に、Ｓ８４０において、その記録用紙２を排出トレイ２０へ排出する。次いで、Ｓ８５０において、全頁の印字を終えたか否かが判断される。全頁の印字を終えている（Ｙｅｓ）と判断された場合には、記録動作の制御手順が終了する。全頁の印字を終えていない（Ｎｏ）と判断された場合には、再びＳ１７０に戻る。
【０１６８】
一方、Ｓ７７０において記録用紙２が両面記録専用紙である（Ｙｅｓ）と判断された場合には、記録用紙２の第二面に印字を行うためにＳ８１０に進む。また、Ｓ７６０において、Ｓ７５０で計数された、記録用紙２の第二面（裏面）に吐出されるべきインクの吐出数が所定値を越えていない（Ｎｏ）場合にも、Ｓ８１０に進む。
【０１６９】
次いで、Ｓ８１０において、記録用紙２を、インクジェットプリンタ１の筐体３１の搬送路Ｇ、Ｈを経て反転させ、再度記録位置Ｐに搬送する。次いで、Ｓ８２０において、印字ヘッド８を介して記録用紙２の面上に向けてインクを吐出し、記録用紙の第二面に次頁の１頁分の印字を行う。次いで、Ｓ８３０において、記録用紙２を搬送路Ｇ、Ｈを経て再度反転させ、その後、上述した通り、Ｓ８４０以降の手順を行う。
【０１７０】
一方、Ｓ７３０において、記録用紙２の第一面（表面）に吐出されたインクの吐出数が所定値を越えている（Ｙｅｓ）と判断された場合には、Ｓ８９０に進み、記録用紙２が両面記録専用紙であるか否かを判断する。記録用紙２が両面記録専用紙である（Ｙｅｓ）場合には、Ｓ９００に進む。つまり、Ｓ８９０において、記録用紙２が両面記録専用紙であると判断されると、Ｓ７３０において両面への印字が不可と判断された結果が無効にされ、記録用紙２の両面に印字を行う手順が行われる。本発明における無効手段は、Ｓ８９０によって、その機能が発現される。
【０１７１】
次いで、Ｓ９００において、次頁の１頁分の印字データがＲＡＭ６４内に蓄積されているか否かを判断する。次頁の１頁分の印字データが蓄積されている（Ｙｅｓ）場合には、前述のＳ８１０に進み、Ｓ８１０以降の手順を行う。一方、次頁の１頁分の印字データが蓄積されていない（Ｎｏ）場合には、次頁の１頁分のデータがインターフェース（Ｉ／Ｆ）８６を介して図示しない外部のパソコンや画像読取装置からＲＡＭ６４に入力されるまで待機し、蓄積された後にＳ８１０に進む。
【０１７２】
一方、Ｓ８９０において、記録用紙２が両面記録専用紙でない（Ｎｏ）と判断された場合にはＳ９１０へ進み、記録用紙２を、インクジェットプリンタ１の筐体３１内の搬送路Ｆを経て排出トレイ２０へ排出する。
【０１７３】
次いで、Ｓ９２０において、１頁分の印字データがＲＡＭ６４内に蓄積されているか否かを判断する。次頁の１頁分の印字データが蓄積されている（Ｙｅｓ）と判断された場合には、Ｓ９３０に進み、１頁分の印字データが蓄積されていない（Ｎｏ）と判断された場合には、１頁分の印字データがインターフェース（Ｉ／Ｆ）８６を介して図示しない外部のパソコンや画像読取装置からＲＡＭ６４に入力されるまで待機し、蓄積された後にＳ９３０に進む。
【０１７４】
次いで、Ｓ９３０において、給紙トレイ３に積載された記録用紙２をインクジェットプリンタ１の筐体３１内に１枚給紙する。次いで、Ｓ９４０において、ヘッド制御部６７とモータ制御部６８を制御して、１頁分の印字を行う。次いで、Ｓ８４０に進み、上述した通りＳ８４０以降の手順を行う。
【０１７５】
本発明の実施形態５によれば、図７に表したように、Ｓ７２０において、１頁目の印字を行いつつドロップカウンタ６５ａで実際に吐出したインクの吐出数を計数し、Ｓ７３０において、その吐出数と予め定められた所定値と比較し、両面記録の可否を判断するので、記録用紙２の両面にインクを吐出して画像を形成したときに画像を損なうことがなく、品質の良好な画像を得ることができる。また、種々の画像に対して、的確に裏写りの有無を判定し、両面記録の可否を効果的に判断できる。
【０１７６】
また、Ｓ７５０において、記録用紙２の次頁（第１頁の裏面）に印字する前に記録用紙２の次頁に吐出される予定のインクの吐出数を計数し、Ｓ７３０により両面記録可と判断されている場合でも、Ｓ７５０によって計数されたインクの吐出数に基づいて、Ｓ７６０においてインクの吐出数と予め定められた所定値とを比較し、両面記録の可否が再度判断されるので、記録用紙２の第二面に吐出されるインクの吐出数が多いことによって、記録用紙２の両面の画像品質を損なうことがなく、記録用紙２の両面に品質の良好な画像を効率良く形成できる。
【０１７７】
また、Ｓ７７０、Ｓ８９０において記録用紙の種類が両面記録専用紙であるか否かを判断し、両面記録専用紙である場合には、Ｓ７３０、Ｓ７６０においてインクの吐出数と予め定められた所定値とを比較した結果両面記録の不可が判断されたとしても両面への印字を可能にしているので、記録用紙２の種類に合わせて記録用紙の両面に良好な画像を得ることができる。（実施の形態６）
次に、図８のフローチャートを用い、実施の形態６における記録動作の処理手順を説明する。次の処理手順は、ユーザが操作パネル８４を操作することによって、インクの吐出数が計数される所定領域として、記録用紙２の両面の頁がそれぞれ別々に計数されることが予め指定されているものである。更に、ユーザは、記録モードが両面記録モードか片面記録モードの何れであるか、そして、記録用紙の種類を操作パネル８４を操作して事前に設定しているものとする。また、本実施の形態６における図８の処理手順は、記録用紙の第一面に印字中、或いは印字後に、第一面に吐出したインクの吐出数を計数して第二面への印字の可否、即ち両面記録の可否を判断し、印字を行うものである。更には、第二面に印字を行う前に、第二面に吐出される予定のインクの吐出数を予め計数して第二面への印字の可否、即ち両面記録の可否を判断し、印字を行うものである。また、実施の形態６は、主な手順が実施の形態５の図７に表したフローチャートと共通するので、その共通する部分については、詳細な説明を省き、特徴となる部分を以下に説明する。
【０１７８】
この記録用紙２への記録動作の処理手順は、ユーザが、インクジェットプリンタ１に記録用紙２への記録を指示したときに図８のフローチャートに示す制御手順がＳＴＡＲＴする。
【０１７９】
まず、Ｓ１１０において、ユーザにより予め設定された記録モードが両面記録モードであるか否かを判断する。
【０１８０】
Ｓ１１０において両面記録モードでない（ＮＯ）と判断された場合には、記録用紙２の第二面（裏面）への印字が不要なので、実施の形態１と同じくＳ１２０に進み、Ｓ１２０以降の手順を行う。
【０１８１】
一方、Ｓ１１０において、両面記録モードである（Ｙｅｓ）と判断された場合には、Ｓ１７０に進み、ＡＳＩＣ内のＡＳＩＣ内のドロップカウンタ６５ａ及びカウンタ６５ｂをリセットする。
【０１８２】
次いで、Ｓ４００において、ＲＡＭ６４から画像情報を読み出し、ＲＡＭ６４内に１頁分の画像情報、即ち、印字データが蓄積されたか否かを判断する。Ｓ４００において１頁分の印字データが蓄積されている（Ｙｅｓ）場合には、Ｓ７００に進み、１頁分の印字データが蓄積されていない（Ｎｏ）場合には、１頁分の印字データがインターフェース（Ｉ／Ｆ）８６を介して外部のパソコン（図示せず）や画像読取装置（図示せず）からＲＡＭ６４に入力されるまで待機し、蓄積された後にＳ７００に進む。
【０１８３】
次いで、Ｓ７００において、ＲＡＭ６４内に蓄積された１頁分の印字データが最終頁の印字データであるか否かを判断し、最終頁の印字データである（Ｙｅｓ）と判断された場合には、実施の形態５と同じくＳ８６０に進み、Ｓ８６０以降の手順を行う。
【０１８４】
一方、最終頁の印字データでない（Ｎｏ）と判断された場合には、Ｓ７０５に進み、記録用紙２が両面記録専用紙であるか否かを判断する。記録用紙２が両面記録専用紙である（Ｙｅｓ）と判断された場合にはＳ８０７に進み、給紙トレイ３に積載された記録用紙２を、インクジェットプリンタ１の筐体３１内に１枚給紙する。次いで、Ｓ８０８において、ヘッド制御部６７とモータ制御部６８を制御して、１頁分の印字を行う。次いで、Ｓ８０９において、次頁の１頁分の印字データがＲＡＭ６４内に蓄積されているか否かを判断し、次頁の１頁分の印字データが蓄積されている（Ｙｅｓ）と判断された場合にはＳ８１０に進み、次頁の１頁分の印字データがまだ蓄積されていない（Ｎｏ）と判断された場合には次頁の１頁分の印字データがインターフェース（Ｉ／Ｆ）８６を介して図示しない外部のパソコンや画像読取装置からＲＡＭ６４に入力されるまで待機し、蓄積された後にＳ８１０に進む。次いで、実施の形態５と同じく、Ｓ８１０以降の手順を行う。
【０１８５】
一方、Ｓ７０５において記録用紙２が両面記録専用紙でない（Ｎｏ）と判断された場合には、Ｓ７１０に進み、給紙トレイ３に積載された記録用紙２を、インクジェットプリンタ１の筐体３１内に１枚給紙する。次いで、Ｓ７２０において、記録用紙２の第一面上に１頁分の印字データに基づいて印字を行いつつ印字ヘッド８から吐出されるインクの吐出数をドロップカウンタ６５ａによって計数する。
【０１８６】
次いで、Ｓ７３０において、ドロップカウンタ６５ａによって計数されたインクの吐出数が予め定められた所定値を越えているか否かを比較する。インクの吐出数が所定値を越えていない（Ｎｏ）場合には、Ｓ７４０に進み、実施の形態５と同じくＳ７４０以降の手順を行う。
【０１８７】
一方、Ｓ７３０においてインクの吐出数が所定値を越えている（Ｙｅｓ）場合には、Ｓ８９０に進み、記録用紙２を、インクジェットプリンタ１の筐体３１内の搬送路Ｆを経て排出トレイ２０へ排出する。次いで、Ｓ９００において、ＲＡＭ６４から画像情報を読み出し、ＲＡＭ６４内に１頁分の画像情報、即ち、印字データが蓄積されたか否かを判断する。１頁分の印字データが蓄積されている（Ｙｅｓ）場合にはＳ７９０に進み、１頁分の印字データが蓄積されていない（Ｎｏ）場合には、１頁分の印字データがインターフェース（Ｉ／Ｆ）８６を介して外部のパソコン（図示せず）や画像読取装置（図示せず）からＲＡＭ６４に入力されるまで待機し、ＲＡＭ６４に蓄積された後にＳ７９０に進む。
【０１８８】
次いで、Ｓ７９０において、給紙トレイ３に積載された記録用紙２を、インクジェットプリンタ１の筐体３１内に１枚給紙する。次いで、Ｓ８００において、ヘッド制御部６７とモータ制御部６８を制御して、記録用紙２の第一面上に１頁分の印字データに基づいて印字を行う。次いで、Ｓ８４０に進み、記録用紙２を搬送路Ｆを経て排出トレイ２０へ排出する。次いで、Ｓ８５０において、全頁の印字を終えたか否かを判断する。全頁の画像形成を終えている（Ｙｅｓ）場合には、記録動作の制御手順が終了する。一方、全頁の画像形成を終えていない（Ｎｏ）場合には、再びＳ１７０に戻る。
【０１８９】
本発明の実施形態６によれば、図８に表したように、Ｓ７０５において記録用紙２の種類が両面記録専用紙であるか否かを判断し、両面記録専用紙であればインクの吐出数に関わらず両面記録を行うことができるものとしてＳ８０７に進み、記録用紙２へのインクの吐出数を計数することなく、両面記録を可能にしているので、記録用紙２の種類に合わせて記録用紙の両面に良好な画像を得ることができるとともにインクの吐出数を計数するための負荷を低減させることができる。
【０１９０】
また、記録用紙２の種類が両面記録専用紙でない場合には、Ｓ７２０において、１頁目の印字を行いつつ記録用紙２の第一面に吐出したインクの吐出数を計数し、Ｓ７３０において、吐出数と予め定められた所定値とを比較し、両面記録の可否を選択するので、記録用紙２の両面にインクを吐出して画像を形成しても画像を損なうことがなく、品質の良好な画像を得ることができる。
【０１９１】
また、Ｓ７３０により両面記録可と判断されている場合でも、記録用紙２の第二面に印字する前に、Ｓ７５０において記録用紙２の第二面に吐出される予定のインクの吐出数を予め計数し、Ｓ７６０において吐出数と所定値とを比較し両面記録の可否が再度判断されるので、記録用紙２の第二面に吐出されるインクの吐出数が多いことによって、記録用紙２の両面の画像品質を損なうことがなく、記録用紙２の両面に品質の良好な画像を効率良く形成できる。
【０１９２】
上述した実施の形態１〜６によれば、記録用紙２におけるインクの吐出数を計数する領域を、記録用紙２の第一面１頁分及び第二面１頁分としたが、操作パネル８４を事前に操作することによって、種々の態様をとることができる。
【０１９３】
たとえば、図９に表したように、ユーザが走査パネル８４を走査することによって、インクの吐出数が計数される領域として、印字ヘッド８が記録用紙２に対して主走査方向に１回分移動する１パス分の領域に指定することができる。更に、１パス分の領域においてインクの吐出数を計数する際に、印字ヘッド８が記録用紙２に対して所定時間内に相対的に移動する毎に計数し、その各所定時間毎に計数されたインクの吐出数の最大値を１パス分の領域におけるインクの吐出数として指定することができる。次に図９のフローチャートを用い、変形例における記録動作の処理手順を説明する。
【０１９４】
まず、Ｓ１５１０でタイマーをクリアするとともに以前に計数されたドロップカウンタ６５ａをリセットする。本実施例では、予め定められた時間内に吐出するインクの吐出数を計数するために、タイマーが用いられる。次いで、Ｓ１５２０において、ヘッド制御部６７とモータ制御部６８を制御して、印字ヘッド８の主走査方向の印字動作をスタートするとともに、タイマーを起動し、Ｓ１５３０において、タイマーにセットされた所定時間に至ると、タイマーの作動を中断し、Ｓ１５４０において、タイマーが作動中の、印字ヘッド８からのインクの吐出数Ｎを計数する。次いで、Ｓ１５５０において、インクの吐出数Ｎが以前に計数されてドロップカウンタ６５ａ内に記憶されている吐出数Ｎｍより大きいか否かを比較する。尚、Ｓ１５１０でドロップカウンタ６５ａをクリアした直後は、ドロップカウンタ６５ａに記憶されているインクの吐出数Ｎｍはゼロである。インクの吐出数Ｎが以前に計数された吐出数Ｎｍより大きい（Ｙｅｓ）場合はＳ１５６０に進み、ドロップカウンタ６５ａにＳ１５４０で計数した吐出数Ｎを上書きしＳ１５７０において、所定時間毎に計数されたインクの吐出数の最大値Ｎｍとして記憶する。一方、インクの吐出数Ｎが以前に計数された吐出数Ｎｍより小さい（Ｎｏ）場合はＳ１５７０に進み、以前に計数されたインクの吐出数をそのまま所定時間毎に計数されたインクの吐出数の最大値Ｎｍとして記憶する。本発明における計数手段は、Ｓ１５２０〜Ｓ１５７０によって、その機能が発現される。次いで、Ｓ１５８０において、１パス分の印字を終了したか否かを判断する。Ｓ１５８０において１パス分の印字を終了していないと判断された（Ｎｏ）場合には、Ｓ１５９０に進み、Ｓ１５９０で再度タイマーを起動し、Ｓ１５３０〜Ｓ１５８０の手順を繰り返す。一方、Ｓ１５８０において１パス分の印字が終了したと判断された（Ｙｅｓ）場合には、１パス分の印字におけるインクの吐出数の最大値Ｎｍがドロップカウンタ６５ａに記憶されるとともに１パス分の印字データが終了する。そして、上述のＳ１５１０以降の手順を繰り返し、１頁分の印字が終了した際に、１パス分の印字におけるインクの吐出数の最大値Ｎｍと両面記録の可否を判断するための所定値と比較し、両面記録の可否を判断すればよい。
【０１９５】
上述の図９に表した変形例によれば、印字ヘッド８が主走査方向に１回分移動する１パス分の印字動作の中で所定時間当たりに吐出されるインクの吐出数を計数し、両面記録の可否を選択しているので、両面記録をした際には、局部的に画像品質を損なうことがない。インクの吐出数を計数する領域として、印字ヘッド８が記録用紙２に対して所定方向（所謂、主走査方向である。）に１回分（所謂、１パス分である。）だけ相対的に移動する領域としているので、インクの記録用紙２への局部的な浸透によって画質を損なうことがなく、品質の良好な画像が得られる。更に、インクの吐出数を計数する領域として、印字ヘッドが記録用紙２に対して所定時間内に相対的に移動する領域としているので、所定時間当たりに吐出されるインク量が偏って多い場合でも、両面記録の可否を精度良く選択でき、両面記録を行う際に、画像を損なうことがなく、品質の良好な画像が得られる。
【０１９６】
尚、記録用紙２におけるインクの吐出数を計数する領域を、記録用紙２の第一面１頁分及び第二面１頁分或いは１パス分として設定する他に、印字ヘッド８が記録用紙２の所定方向に所定量だけ相対的に移動する領域とすることもできる。その際は、リニアエンコーダ１５によって、印字ヘッド８の移動量を検出し、所定の移動量になったときのインクの吐出数を計数すれば良い。これにより、記録用紙２へ記録する領域と実際にインクの吐出数を計数する領域とを精度良く一致させ、記録用紙２の両面記録の可否を効果的に判断できる。
【０１９７】
また、実施の形態１〜６によれば、記録用紙２の種類は、ユーザが操作パネル８４を操作して両面記録専用紙であるか否かを事前に設定しているものとしたが、インクジェットプリンタ１の筐体３１内に記録用紙２が給紙される際に、インクジェットプリンタ１の筐体３１内に配置された反射型光学センサ２１ａ、２１ｂを用いて、記録用紙２の種類を判断し、両面記録専用紙であると判断されたときには、インクの吐出数を計数することなく両面記録が可能と判断してもよい。
【０１９８】
また、両面記録の可否を選択するに当たり、印字ヘッド８が所定量移動する毎にインク吐出数を計数して記録密度（所謂、記録用紙における単位面積あたりのインクの吐出数を表す数）を計数し、所定の記録密度を越える面積が、一定値を越えたときは記録用紙２への両面記録の不可を選択するようにしても良い。これにより、インクの局部的な浸透によって画像を損なうことがなく、品質の良好な画像が得られる。
【０１９９】
また、記録用紙２の種類がインクの吸収速度が遅い記録用紙である場合には、記録用紙２の第一面に印字した後に第二面に記録するまでの開始時間を遅らせるように、次頁の印字開始時間の遅延を制御しても良い。
【０２００】
また、印字ヘッド８から吐出する１滴分の量を切換える吐出切換え手段を備え、吐出切換え手段の切換えに基づいて、比較手段における所定値を選択できるようにしても良い。これにより、さらに、両面記録の可否を精度良く判断できる。
【図面の簡単な説明】
【０２０１】
【図１】本発明の実施の形態１における、インクジェットプリンタの内部構成を模式的に表す断面図である。
【図２】同実施の形態におけるインクジェットプリンタの、制御装置の構成を表すプロック図である。
【図３】同実施の形態１のインクジェットプリンタにおける、記録動作の処理手順を表すフローチャートである。
【図４】本発明の実施の形態２における、記録動作の処理手順を表すフローチャートである。
【図５】本発明の実施の形態３における、記録動作の処理手順を表すフローチャートである。
【図６】本発明の実施の形態４における、記録動作の処理手順を表すフローチャートである。
【図７】本発明の実施の形態５における、記録動作の処理手順を表すフローチャートである。
【図８】本発明の実施の形態６における、記録動作の処理手順を表すフローチャートである。
【図９】変形例における、１パス分の記録動作の処理手順を表すフローチャートである。
【符号の説明】
【０２０２】
１…インクジェットプリンタ、２…記録用紙、３…給紙トレイ、４…給紙ローラ、５…上ガイド、６…下ガイド、７、１４…搬送ローラ、８…印字ヘッド、９…キャリッジ、１２…プラテン、１０…ガイド軸、１１…ガイドレール、１３…排出ローラ、１５…リニアエンコーダ、１９…送風機、２０…排出トレイ、２１…反射型光学センサ、２２…ガイド、２５，２６…フラッパー、３０…再給紙部、３１…インクジェットプリンタの筐体、４２ａ…圧電素子、６１…制御装置、６２…ＣＰＵ、６３…ＲＯＭ、６４…ＲＡＭ、６５…ＡＳＩＣ、６５ａ…ドロップカウンタ、６５ｂ…カウンタ、６６…バス、６７…ヘッド制御部、６８…モータ制御部、６９…送風制御部、７０…アクチュエータ制御部、８０…キャリッジモータ、８１…搬送モータ、８３…搬送路切換アクチュエータ、８４…操作パネル、８５…パネルインターフェース（Ｉ／Ｆ）、８６…インターフェース。